(57)【要約】  ワイヤレス通信のための方法および装置は、圧縮アルゴリズムをデータフローに適用するステップと、圧縮アルゴリズムを適用するステップの結果として生じたデータフローの圧縮レベルを評価するステップとを含む。さらなる態様は、データフローの圧縮レベルがいつ第1のしきい値を下回ったかを判断するステップと、圧縮レベルが第1のしきい値を下回ったときにデータフローの圧縮を無効化するステップとを含む。追加の態様は、データフローの圧縮レベルがいつ第2のしきい値を上回ったかを判断するステップと、圧縮レベルが第2のしきい値を上回ったときにデータフローの圧縮を有効化するステップであって、第2のしきい値が第1のしきい値よりも大きい、ステップとを含む。
2016506134.tif 000002
【特許請求の範囲】
【請求項１】
ワイヤレス通信の方法であって、
圧縮機を介して、圧縮アルゴリズムをデータフローに適用するステップと、
前記圧縮アルゴリズムを適用するステップの結果として生じた前記データフローの圧縮レベルを評価するステップと、
前記データフローの前記圧縮レベルがいつ第1のしきい値を下回ったかを判断するステップと、
前記圧縮レベルが前記第1のしきい値を下回ったときに前記データフローの圧縮を無効化するステップと、
前記データフローの前記圧縮レベルがいつ第2のしきい値を上回ったかを判断するステップと、
前記圧縮レベルが前記第2のしきい値を上回ったときに前記データフローの圧縮を有効化するステップであって、前記第2のしきい値が前記第1のしきい値よりも大きい、ステップと
を含む方法。
【請求項２】
前記圧縮を無効化するステップが、第1の無効化期間にわたって、かつ、前記第1の無効化期間の後に無効化するステップを含み、
前記圧縮アルゴリズムを前記データフローに再適用するステップと、
前記圧縮アルゴリズムを前記データフローに再適用するステップの結果として生じた前記データフローの前記圧縮レベルを再評価するステップと
をさらに含み、
前記有効化するステップが、前記データフローの前記再評価された圧縮レベルが前記第2のしきい値よりも大きいときに前記データフローの圧縮を有効化するステップと、
前記データフローの前記再評価された圧縮レベルが前記第2のしきい値よりも小さいときに前記データフローの圧縮を無効化するステップと
を含む、請求項1に記載の方法。
【請求項３】
前記第1のしきい値および前記第2のしきい値に関して前記データフローの前記再評価された圧縮レベルが前記第2のしきい値を下回ったときに、第2の無効化期間にわたって前記圧縮を無効化するステップをさらに含み、前記第2の無効化期間が、前記第1の無効化期間とは異なる継続期間を有する、請求項2に記載の方法。
【請求項４】
前記第2の無効化期間が、前記圧縮アルゴリズムを前記データフローに再適用するステップの結果として生じた前記データフローの前記圧縮レベルの前記再評価が前記第2のしきい値を下回る連続回数の数に基づく継続期間を有する、請求項3に記載の方法。
【請求項５】
前記圧縮レベルが、前記データフロー内の過去のデータパケットのしきい値数の圧縮前の前記データフローのペイロードサイズの合計分の、前記データフロー内の過去のデータパケットの前記しきい値数の圧縮後の前記データフローの前記ペイロードサイズの合計、である比を1から引いたものに等しい、請求項1に記載の方法。
【請求項６】
前記データフロー内の過去のデータパケットの前記しきい値数の値が、圧縮が有効化されるかまたは無効化されるかに依存する、請求項5に記載の方法。
【請求項７】
圧縮が有効化されるとき、過去のデータパケットの前記しきい値数の前記値が第1の値に設定される、請求項6に記載の方法。
【請求項８】
圧縮が無効化されるとき、過去のデータパケットの前記しきい値数の前記値が第2の値に設定される、請求項6に記載の方法。
【請求項９】
前記圧縮レベルが、前記データフロー内の過去のデータパケットのしきい値数分の、前記データフロー内の過去のデータパケットの前記しきい値数についての圧縮前のデータペイロードの合計量から前記データフロー内の過去のデータパケットの前記しきい値数についての圧縮後のデータペイロードの合計量を引いたもの、を含む比に等しい、請求項1に記載の方法。
【請求項１０】
前記圧縮レベルが、前記データフロー内の過去のデータパケットのしきい値数分の、前記データフロー内の過去のパケットの前記しきい値数のうちの圧縮されたデータパケットの数、である比に等しい、請求項1に記載の方法。
【請求項１１】
前記圧縮されたデータパケットの数が、過去のデータパケットの前記しきい値数のうちの、圧縮後のペイロードサイズが圧縮前のペイロードサイズの一定倍よりも小さい、データパケットの数を含む、請求項10に記載の方法。
【請求項１２】
前記圧縮されたデータパケットの数が、過去のデータパケットの前記しきい値数のうちの、定数を引いた圧縮前のペイロードサイズよりも圧縮後のペイロードサイズが小さい、データパケットの数を含む、請求項10に記載の方法。
【請求項１３】
ワイヤレス通信のための装置であって、
少なくとも1つのプロセッサと、
前記少なくとも1つのプロセッサに結合されたメモリと
を備え、前記少なくとも1つのプロセッサが、
圧縮アルゴリズムをデータフローに適用することと、
前記圧縮アルゴリズムを適用することの結果として生じた前記データフローの圧縮レベルを評価することと、
前記データフローの前記圧縮レベルがいつ第1のしきい値を下回ったかを判断することと、
前記圧縮レベルが前記第1のしきい値を下回ったときに前記データフローの圧縮を無効化することと、
前記データフローの前記圧縮レベルがいつ第2のしきい値を上回ったかを判断することと、
前記圧縮レベルが前記第2のしきい値を上回ったときに前記データフローの圧縮を有効化することであって、前記第2のしきい値が前記第1のしきい値よりも大きい、有効化することと
を行うように構成される、装置。
【請求項１４】
前記少なくとも1つのプロセッサが、第1の無効化期間にわたって、かつ前記第1の無効化期間の後に圧縮を無効化するようにさらに構成され、前記少なくとも1つのプロセッサが、
前記圧縮アルゴリズムを前記データフローに再適用し、
前記圧縮アルゴリズムを前記データフローに前記再適用することの結果として生じた前記データフローの前記圧縮レベルを再評価し、
前記データフローの前記再評価された圧縮レベルが前記第2のしきい値よりも大きいときに前記データフローの圧縮を有効化し、
前記データフローの前記再評価された圧縮レベルが前記第2のしきい値よりも小さいときに前記データフローの圧縮を無効化する
ようにさらに構成される、請求項13に記載の装置。
【請求項１５】
前記少なくとも1つのプロセッサが、前記第1のしきい値および前記第2のしきい値に関して前記データフローの前記再評価された圧縮レベルが前記第2のしきい値を下回ったときに、第2の無効化期間にわたって前記圧縮を無効化するようにさらに構成され、前記第2の無効化期間が、前記第1の無効化期間とは異なる継続期間を有する、請求項14に記載の装置。
【請求項１６】
前記第2の無効化期間が、前記圧縮アルゴリズムを前記データフローに再適用することの結果として生じた前記データフローの前記圧縮レベルの前記再評価が前記第2のしきい値を下回る連続回数の数に基づく継続期間を有する、請求項15に記載の装置。
【請求項１７】
前記圧縮レベルが、前記データフロー内の過去のデータパケットのしきい値数の圧縮前の前記データフローのペイロードサイズの合計分の、前記データフロー内の過去のデータパケットの前記しきい値数の圧縮後の前記データフローの前記ペイロードサイズの合計、である比を1から引いたものに等しい、請求項13に記載の装置。
【請求項１８】
前記データフロー内の過去のデータパケットの前記しきい値数の値が、圧縮が有効化されるかまたは無効化されるかに依存する、請求項13に記載の装置。
【請求項１９】
圧縮が有効化されるとき、過去のデータパケットの前記しきい値数の前記値が第1の値に設定される、請求項18に記載の装置。
【請求項２０】
圧縮が無効化されるとき、過去のデータパケットの前記しきい値数の前記値が第2の値に設定される、請求項18に記載の装置。
【請求項２１】
前記圧縮レベルが、前記データフロー内の過去のデータパケットのしきい値数分の、前記データフロー内の過去のデータパケットの前記しきい値数についての圧縮前のデータペイロードの合計量から前記データフロー内の過去のデータパケットの前記しきい値数についての圧縮後のデータペイロードの合計量を引いたもの、を含む比に等しい、請求項13に記載の装置。
【請求項２２】
前記圧縮レベルが、前記データフロー内の過去のデータパケットのしきい値数分の、前記データフロー内の過去のパケットの前記しきい値数のうちの圧縮されたデータパケットの数、である比に等しい、請求項13に記載の装置。
【請求項２３】
前記圧縮されたデータパケットの数が、過去のデータパケットの前記しきい値数のうちの、圧縮後のペイロードサイズが圧縮前のペイロードサイズの一定倍よりも小さい、データパケットの数を含む、請求項22に記載の装置。
【請求項２４】
前記圧縮されたデータパケットの数が、過去のデータパケットの前記しきい値数のうちの、定数を引いた圧縮前のペイロードサイズよりも圧縮後のペイロードサイズが小さい、データパケットの数を含む、請求項22に記載の装置。
【請求項２５】
ワイヤレス通信のための装置であって、
圧縮アルゴリズムをデータフローに適用するための手段と、
前記圧縮アルゴリズムを適用することの結果として生じた前記データフローの圧縮レベルを評価するための手段と、
前記データフローの前記圧縮レベルがいつ第1のしきい値を下回ったかを判断するための手段と、
前記圧縮レベルが前記第1のしきい値を下回ったときに前記データフローの圧縮を無効化するための手段と、
前記データフローの前記圧縮レベルがいつ第2のしきい値を上回ったかを判断するための手段と、
前記圧縮レベルが前記第2のしきい値を上回ったときに前記データフローの圧縮を有効化するための手段であって、前記第2のしきい値が前記第1のしきい値よりも大きい、手段と
を備える装置。
【請求項２６】
ワイヤレス通信のための装置によって実行可能な非一時的コンピュータ可読媒体であって、
圧縮アルゴリズムをデータフローに適用するためのコードと、
前記圧縮アルゴリズムを適用することの結果として生じた前記データフローの圧縮レベルを評価するためのコードと、
前記データフローの前記圧縮レベルがいつ第1のしきい値を下回ったかを判断するためのコードと、
前記圧縮レベルが前記第1のしきい値を下回ったときに前記データフローの圧縮を無効化するためのコードと、
前記データフローの前記圧縮レベルがいつ第2のしきい値を上回ったかを判断するためのコードと、
前記圧縮レベルが前記第2のしきい値を上回ったときに前記データフローの圧縮を有効化するためのコードであって、前記第2のしきい値が前記第1のしきい値よりも大きい、コードと
を備える非一時的コンピュータ可読媒体。
【発明の詳細な説明】
【技術分野】
【０００１】
米国特許法第119条に基づく優先権の主張
本特許出願は、本出願の譲受人に譲渡され、参照により本明細書に明確に組み込まれる、2012年12月11日に出願された「METHOD AND APPARATUS FOR DISABLING COMPRESSION FOR INCOMPRESSIBLE FLOWS」と題する米国仮出願第61/735,706号の優先権を主張する。
【０００２】
本開示の態様は全般にワイヤレス通信システムに関し、より詳細には、パケットデータフローの圧縮中の処理リソースの利用を改善し、それによって、ワイヤレス通信システムにおいて一貫したサービスを提供するための装置および方法に関する。
【背景技術】
【０００３】
電話、ビデオ、データ、メッセージング、放送などの様々な通信サービスを提供するために、ワイヤレス通信ネットワークが広範囲に展開されている。そのようなネットワークは、たいていは多元接続ネットワークであり、利用可能なネットワークリソースを共有することによって、複数のユーザ向けの通信をサポートする。そのようなネットワークの一例は、UMTS Terrestrial Radio Access Network(UTRAN)である。UTRANは、第3世代パートナーシッププロジェクト(3GPP)によってサポートされる第3世代(3G)モバイルフォン技術である、Universal Mobile Telecommunications System(UMTS)の一部として定義される無線アクセスネットワーク(RAN)である。UMTSは、Global System for Mobile Communications(GSM(登録商標))技術の後継であり、広帯域符号分割多元接続(W-CDMA)、時分割符号分割多元接続(TD-CDMA)、および時分割同期符号分割多元接続(TD-SCDMA)などの様々なエアインターフェース規格を現在サポートしている。UMTSは、関連するUMTSネットワークのデータ転送の速度および容量を向上させる高速パケットアクセス(HSPA)のような拡張3Gデータ通信プロトコルもサポートする。
【０００４】
いくつかのワイヤレス通信システムでは、圧縮機は、圧縮アルゴリズムを利用することによって、データパケットを圧縮することができる。しかしながら、場合によっては、圧縮機は、圧縮可能ではない可能性があるあるいは圧縮による利得(たとえば、パケットサイズの低減)をほとんどまたはまったくもたらさない可能性がある特定のフローからのデータパケットを圧縮しようとし、それによって、処理リソースを浪費することがある。
【先行技術文献】
【非特許文献】
【０００５】
【非特許文献１】RRC Protocol Specification、3GPP TS 25.331
【発明の概要】
【発明が解決しようとする課題】
【０００６】
したがって、パケットデータフローの圧縮中の処理リソースの利用を改善することが望まれる。
【課題を解決するための手段】
【０００７】
以下で、1つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、1つまたは複数の態様のいくつかの概念を簡略化された形で提示することである。
【０００８】
パケットデータフローの圧縮中の処理リソースの利用を改善するための方法が提供される。方法は、圧縮アルゴリズムをデータフローに適用するステップと、圧縮アルゴリズムを適用するステップの結果として生じたデータフローの圧縮レベルを評価するステップとを含む。さらに、方法は、データフローの圧縮レベルがいつ第1のしきい値を下回ったかを判断するステップと、圧縮レベルが第1のしきい値を下回ったときにデータフローの圧縮を無効化するステップとを含む。加えて、方法は、データフローの圧縮レベルがいつ第2のしきい値を上回ったかを判断するステップと、圧縮レベルが第2のしきい値を上回ったときにデータフローの圧縮を有効化するステップであって、第2のしきい値が第1のしきい値よりも大きい、ステップとを含む。
【０００９】
別の態様では、パケットデータフローの圧縮中の処理リソースの利用を改善するための装置が提供される。装置は、メモリと通信するまたはメモリに結合されたプロセッサを含み、プロセッサは、圧縮アルゴリズムをデータフローに適用し、圧縮アルゴリズムを適用することの結果として生じたデータフローの圧縮レベルを評価するように構成される。さらに、プロセッサは、データフローの圧縮レベルがいつ第1のしきい値を下回ったかを判断し、圧縮レベルが第1のしきい値を下回ったときにデータフローの圧縮を無効化するように構成される。加えて、プロセッサは、データフローの圧縮レベルがいつ第2のしきい値を上回ったかを判断することと、圧縮レベルが第2のしきい値を上回ったときにデータフローの圧縮を有効化することであって、第2のしきい値が第1のしきい値よりも大きい、有効化することとを行うように構成される。
【００１０】
別の態様では、圧縮アルゴリズムをデータフローに適用するための手段と、圧縮アルゴリズムを適用することの結果として生じたデータフローの圧縮レベルを評価するための手段とを含む、パケットデータフローの圧縮中の処理リソースの利用を改善するための装置が提供される。さらに、装置は、データフローの圧縮レベルがいつ第1のしきい値を下回ったかを判断するための手段と、圧縮レベルが第1のしきい値を下回ったときにデータフローの圧縮を無効化するための手段とを含む。加えて、装置は、データフローの圧縮レベルがいつ第2のしきい値を上回ったかを判断するための手段と、圧縮レベルが第2のしきい値を上回ったときにデータフローの圧縮を有効化するための手段であって、第2のしきい値が第1のしきい値よりも大きい、手段とを含む。
【００１１】
また別の態様では、パケットデータフローの圧縮中の処理リソースの利用を改善するための、ワイヤレス通信のための装置によって実行可能な非一時的コンピュータ可読媒体は、圧縮アルゴリズムをデータフローに適用するためのマシン実行可能コードと、圧縮アルゴリズムを適用することの結果として生じたデータフローの圧縮レベルを評価するためのコードとを含む。さらに、コンピュータ可読媒体は、データフローの圧縮レベルがいつ第1のしきい値を下回ったかを判断するためのコードと、圧縮レベルが第1のしきい値を下回ったときにデータフローの圧縮を無効化するためのコードとを含む。加えて、コンピュータ可読媒体は、データフローの圧縮レベルがいつ第2のしきい値を上回ったかを判断するためのコードと、圧縮レベルが第2のしきい値を上回ったときにデータフローの圧縮を有効化するためのコードであって、第2のしきい値が第1のしきい値よりも大きい、コードとを含む。
【００１２】
本開示のこれらの態様および他の態様は、以下の発明を実施するための形態に目を通すことで、より十分に理解できるようになろう。
【図面の簡単な説明】
【００１３】
【図１】ワイヤレス通信システムで使用される呼処理構成要素の一態様の概略図である。
【図２】図1の呼処理構成要素の圧縮機構成要素の一態様の概略図である。
【図３Ａ】本開示のワイヤレス通信システムにおける呼処理の一態様のグラフ表現である。
【図３Ｂ】本開示のワイヤレス通信システムにおける呼処理の他の態様のグラフ表現である。
【図４】本開示のワイヤレス通信システムにおける呼処理のための方法の一態様の流れ図である。
【図５】本開示による、呼処理構成要素を実装するコンピュータデバイスの追加の構成要素の一態様のブロック図である。
【図６】本明細書で説明した機能を実行するために処理システムを使用する装置のハードウェア実装の一態様のブロック図である。
【図７】本明細書で説明する機能を実行するように構成されたUEを含む電気通信システムの一例を概念的に示すブロック図である。
【図８】本明細書で説明する機能を実行するように構成されたUEとともに使用するアクセスネットワークの一例を示す概念図である。
【図９】本明細書で説明する機能を実行するように構成された基地局および/またはUEのユーザプレーンおよび制御プレーンの無線プロトコルアーキテクチャの一例を示す概念図である。
【図１０】本明細書で説明する機能を実行するように構成された電気通信システムにおいてUEと通信しているNodeBの一例を概念的に示すブロック図である。
【発明を実施するための形態】
【００１４】
添付の図面に関する下記の詳細な説明は、様々な構成の説明として意図されており、本明細書で説明する概念が実行され得る唯一の構成を表すように意図されているわけではない。詳細な説明は、様々な概念の完全な理解をもたらす目的で、具体的な詳細を含んでいる。しかし、これらの概念がこれらの具体的な詳細なしに実行され得ることが、当業者には明らかであろう。場合によっては、そのような概念を曖昧にするのを回避する目的で、周知の構造および構成要素がブロック図の形式で示されている。
【００１５】
上記で説明したように、圧縮機は、データパケットにおける冗長性を利用することによって、データパケットフロー内のデータパケットを圧縮するために使用され得る。そうする際に、圧縮機は、非圧縮性と見なされ得る特定のフローからのデータパケットを圧縮しようとし得る。本明細書で使用する「非圧縮性」という用語は、データパケットフローに関して使用される場合、圧縮され得ないこと、または圧縮による利得(たとえば、パケットサイズの低減)のしきい値量未満をもたらすことを意味する。非圧縮性と見なされ得るパケットデータフローのタイプの例として、限定はしないが、暗号化トラフィックまたはビデオなどのデータを搬送するパケットデータフローが挙げられる。したがって、圧縮機は結局、パケットサイズの低減をほとんどまたはまったくもたらさないデータパケットを圧縮しようとして、処理リソースを消費することになる。同様に、圧縮解除機も、サイズが低減されなかったデータパケットを圧縮解除しようとして、処理リソースを浪費し得る。
【００１６】
したがって、本装置および本方法は、パケットデータフロー内のデータパケットを圧縮するための処理リソースの利用を改善するための機構を提供する。
【００１７】
図1を参照すると、一態様では、ワイヤレス通信システム100が、モバイルデバイスからネットワークに、またはネットワークからモバイルデバイスに大量のデータを送信するのを容易にするように構成される。ワイヤレス通信システム100は、1つまたは複数のワイヤレスリンク125により、限定はしないが、ワイヤレスサービングノード116を含むサービングノードを介して、1つまたは複数のネットワーク112とワイヤレス通信することができる少なくとも1つのUE114を含む。1つまたは複数のワイヤレスリンク125は、限定はしないが、シグナリング無線ベアラおよび/またはデータ無線ベアラを含むことができる。ワイヤレスサービングノード116は、1つまたは複数のワイヤレスリンク125によりUE114に1つもしくは複数の信号123を送信するように構成されてもよく、かつ/またはUE114は、ワイヤレスサービングノード116に1つもしくは複数の信号124を送信することができる。一態様では、信号123および信号124は、限定はしないが、1つまたは複数のメッセージを含むことができ、たとえば、UE114からワイヤレスサービングノード116を介してネットワーク112にデータパケットまたはパケットデータフローを送信する。
【００１８】
一態様では、UE114は、データをワイヤレスリンク125を介してワイヤレスサービングノード116に送信するように構成され得る呼処理構成要素140を含み得る。たとえば、呼処理構成要素140は、UE114上で実行される1つまたは複数のアプリケーションに対応する1つまたは複数のパケットデータフローからデータパケットを送信し得る。たとえば、1つまたは複数のアプリケーションは、ウェブブラウザアプリケーション、データ呼アプリケーション、および音声呼アプリケーションのうちの1つまたは複数を含み得る。
【００１９】
本態様によれば、呼処理構成要素140は、実現され得る圧縮レベルに基づいて、1つまたは複数のパケットデータフローを選択的に圧縮するかまたは圧縮しないように構成された圧縮機構成要素145を含み得る。具体的には、圧縮機構成要素145は、1つまたは複数のパケットデータフローの圧縮を有効化するかまたは無効化することを要求する、それぞれのしきい値圧縮レベルで構成され得る。さらに、一態様では、圧縮機構成要素145は、圧縮が無効化される1つまたは複数の無効化期間で構成され得る。2つ以上の無効化期間の態様では、各無効化期間は異なる継続時間を有してもよく、または各無効化期間は、圧縮レベルが圧縮を有効化するためのそれぞれのしきい値を満たすことができなかった連続回数の数に基づいた継続時間を有してもよい。たとえば、限定するものと解釈されるべきではない一態様では、圧縮機構成要素145は、圧縮を行うための処理リソースの使用の効率を改善するために、それぞれの有効化しきい値および無効化しきい値、ならびにそれぞれの無効化期間で構成され得る。たとえば、小さい圧縮利得の機会ごとに圧縮機構成要素145をオンおよびオフにするのではなく、本態様は、十分な圧縮利得が実現され得るまで、または圧縮機構成要素145が、圧縮のための処理リソースの使用を正当化するために、無効化しきい値に達するまで十分な期間にわたって圧縮を有効化することができるまで、圧縮機構成要素145が圧縮データフローの送信を回避するように構成し得る。
【００２０】
一態様では、たとえば、UE114の呼処理構成要素140および圧縮機構成要素145は、UE114のプロトコルスタック内のプロトコルレイヤで動作するエンティティであり得る。本態様を動作させるエンティティを含み得る例示的なプロトコルレイヤは、限定はしないが、パケットデータコンバージェンスプロトコル(PDCP)レイヤを含み得るが、述べたように、本態様はプロトコルスタックの上位レイヤまたは下位レイヤで動作し得る。
【００２１】
UE114は、モバイル装置を含むことができ、本開示を通じてそのようなものとして呼ばれ得る。そのようなモバイル装置またはUE114は、当業者によって、移動局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、端末、ユーザエージェント、モバイルクライアント、クライアント、または何らかの他の適切な用語で呼ばれることもある。
【００２２】
さらに、限定はしないが、ワイヤレス通信システム100のワイヤレスサービングノード116を含む1つまたは複数のワイヤレスノードは、基地局またはノードB、リレー、ピアツーピアデバイス、認証、認可、課金(AAA)サーバ、モバイル交換センター(MSC)、無線ネットワークコントローラ(RNC)などを含むアクセスポイントなどの任意のタイプのネットワーク構成要素のうちの1つまたは複数を含むことができる。さらなる態様では、ワイヤレス通信システム100の1つまたは複数のワイヤレスサービングノードは、1つまたは複数の小規模基地局、たとえば、限定はしないが、フェムトセル、ピコセル、マイクロセル、または任意の他の小規模基地局を含むことができる。
【００２３】
図2を参照すると、本装置および本方法の一態様では、圧縮機構成要素145は、実現され得る圧縮レベル216に基づいて、受信されたデータフロー210から圧縮データフロー212または未圧縮データフロー214を選択的に生成するために、本態様の機能を実行するための複数のサブ構成要素を含み得る。
【００２４】
一態様では、圧縮機構成要素145は、とりわけ、圧縮アルゴリズム222を1つまたは複数のデータフロー210に適用することが可能な圧縮機220を含むように構成され得る。たとえば、圧縮機構成要素145が、上位プロトコルレイヤから、たとえばUE114上で実行されるブラウザなどのアプリケーションに対応するデータまたはシグナリングを搬送するデータフロー210を受信した後(図1)、圧縮機220は、圧縮アルゴリズム222をデータフロー210の少なくとも一部分に適用して、(未圧縮データフロー214と呼ばれ得る)元のデータフロー210の対応する部分のデータ量よりも少ないかまたはそれに等しくてもよいデータ量を有する圧縮データフロー212を生成するように構成される。一例では、圧縮アルゴリズム222は、1組のデータパケットのサイズ(たとえば、ビット単位またはバイト単位)を低減することが可能な任意のアルゴリズムであり得、一態様では、サイズの低減は(たとえば、繰り返されるヘッダ情報を除去することによって)ヘッダでなされ得る。ただし、他の代替または追加の態様では、圧縮アルゴリズム222は1組のデータパケットにおけるペイロード情報のサイズを低減するように動作することもできることに留意されたい。さらに、圧縮機220は、たとえば、いくつかの間隔において、構成された数のデータパケットを含み得るデータフロー210の特定の部分についてのみ圧縮データフロー212を生成することができ、ここで、間隔またはデータパケットの数は、(評価目的で圧縮データフロー212を生成するのとは対照的に)圧縮機構成要素145がデータフロー210を実際に送信するために圧縮機220を有効化したかまたは無効化したかに応じて変化し得ることに留意されたい。したがって、以下で説明するように、圧縮データフロー212の生成は評価目的のみとすることができ、圧縮機構成要素145は、本態様の動作に基づいて、圧縮データフロー212または未圧縮データフロー214(たとえば、元のデータフロー210)を送信することができる。
【００２５】
圧縮機構成要素145は、送信元および/もしくは宛先アドレスまたはポート情報に基づいて、データフロー210を識別することができることに留意されたい。限定するものと解釈されるべきではない一例では、圧縮機構成要素145は、TCPベースのパケットの場合は伝送制御プロトコル(TCP)送信元ポート、TCP宛先ポート、IP送信元アドレス、およびIP宛先アドレス、ならびにUDPベースのパケットの場合はユーザデータグラムプロトコル(UDP)送信元ポート、UDP宛先ポート、IP送信元アドレス、およびIP宛先アドレスのうちの1つまたはそれらの任意の組合せに基づいて、データフロー210を識別することができる。
【００２６】
さらに、圧縮機構成要素145は、データフロー210、たとえば、未圧縮データフロー214での圧縮アルゴリズム222の実行の結果として生じた圧縮データフロー212の圧縮レベル216を判断することが可能な評価構成要素230を含むように構成され得る。たとえば、一態様では、評価構成要素230は、圧縮データフロー212のサイズをデータフロー210(または、言い換えれば、未圧縮データフロー214)の対応する部分のサイズに対して比較し、サイズの差に関するメトリックまたは値をデータフロー210の圧縮レベル216として定義するように構成される。代替または追加の態様では、評価構成要素230は、しきい値数のパケットのうちの、少なくとも定義された量だけ圧縮可能であるパケットの数に基づいて、圧縮レベル216のメトリックを定義するように構成される。一態様では、評価構成要素230は、構成された数のデータパケットを含み得る評価期間218(たとえば、以下でXと呼ばれる、ただし、Xは正の数である)にわたって、および/または間隔で、データフロー210の圧縮レベル216を追跡し、ここで、間隔またはデータパケットの数は、(評価目的で圧縮データフロー212を生成するのとは対照的に)圧縮機構成要素145がデータフロー210を実際に送信するために圧縮機220を有効化した(たとえば、X = X1)かまたは無効化した(たとえば、X = X2)かに応じて変化し得る。たとえば、一態様では、評価期間218は、過去のパケットのしきい値数であってもよく、データフロー210に対する新しいパケットを受信すると、評価構成要素230は、新しいパケットを圧縮するべきかどうかを判断するために、評価期間218、たとえば、データフロー210内の過去のパケットのしきい値数にわたって圧縮レベル216を評価することができる。
【００２７】
一態様では、圧縮レベル216は、以下の式1に表されるように、データフロー内の過去のデータパケットのしきい値数の圧縮前のデータフローのペイロードサイズの合計分の、データフロー内の過去のデータパケットのしきい値数(たとえば、評価期間218、以下でXとも呼ばれる、ただし、Xは正の数である)の圧縮後のデータフローのペイロードサイズの合計を1から引いたものと等しくてもよい。たとえば、データフロー210がシーケンス番号10から28を有するパケットを含み、X = 3である場合、最初の評価期間218における圧縮レベル216は、シーケンス番号10、11、および12を有するデータパケットについて計算され得る。上記で述べたように、式1のデータフロー内の過去のパケットのしきい値数の値(たとえば、X)は、以下で説明するように、圧縮が有効化される(たとえば、X = X1)かまたは無効化される(たとえば、X = X2)かに依存し得る。
【００２８】
別の態様では、評価構成要素230は、圧縮レベル216が、データフロー210の圧縮を選択的に無効化するおよび有効化するように構成された値をそれぞれ有する1つまたは複数のしきい値を満たすかどうかを判断するように構成されたしきい値決定構成要素232を含み得る。たとえば、評価構成要素230および/またはしきい値決定構成要素232は、圧縮を無効化するための第1のしきい値234(たとえば、以下の式ではY1)および圧縮を有効化するための第2のしきい値236(たとえば、以下の式ではY2)を含むことができ、ただし、第1のしきい値234は、第2のしきい値236とは異なる、第2のしきい値236よりも小さい値を有する。たとえば、一態様では、しきい値決定構成要素232は、圧縮レベル216の値を第1のしきい値234の値および第2のしきい値236の値と比較して、たとえば、圧縮レベル216が圧縮の無効化をトリガするための第1のしきい値234を下回るか、または圧縮の有効化をトリガするための第2のしきい値236を上回るかを判断する。第1のしきい値234および第2のしきい値236は固定値であってもよく可変値であってもよい。
【００２９】
また別の態様では、圧縮機構成要素145は、圧縮レベル216が第2のしきい値236を上回って増大したときに、送信するためのデータフロー210の圧縮を有効化することが可能な圧縮有効化構成要素244を含むように構成され得る。たとえば、しきい値決定構成要素232が、圧縮レベル216が第2のしきい値236を上回って増大したと判断した後、圧縮有効化構成要素244は、データフロー210を送信するときに圧縮を有効化する。言い換えれば、この態様では、圧縮レベル216が第2のしきい値236を満たすとき、たとえば、圧縮を行うために使用されるリソースのコストに対して、データフロー210を圧縮することによって十分な利得を実現することができるとき、圧縮機構成要素145は、データフロー210を圧縮データフロー212として送信する。一態様では、圧縮有効化構成要素244は、圧縮が有効化される時間量またはパケットの数を識別する1つまたは複数の有効化期間246を含み得る。1つまたは複数の有効化期間246は、評価期間218と同じであってもよく、または評価期間218とは異なっていてもよい。言い換えれば、圧縮有効化構成要素244は、圧縮レベル216が評価構成要素230によって評価されるたびに、圧縮を有効化することができ、この評価はパケットごとにであってもよく、あるいは圧縮有効化構成要素244は、圧縮レベル216を評価することなく、設定された期間または設定された数のパケットにわたって圧縮を有効化することができる。したがって、場合によっては、評価構成要素230が、圧縮が現在無効化されているかまたは有効化されているかに応じて、圧縮レベル216が第2のしきい値236を満たすか、または第1のしきい値234よりも大きいと判断する限り、圧縮有効化構成要素244は圧縮を継続的にトリガすることができる。
【００３０】
別の態様では、圧縮機構成要素145は、圧縮レベル216が第1のしきい値234を下回って低下したときに、送信するためのデータフロー210の圧縮を無効化することが可能な圧縮無効化構成要素240を含むように構成され得る。たとえば、しきい値決定構成要素232が、圧縮レベル216が第1のしきい値234を下回って下がったと判断した後、圧縮無効化構成要素240は、データフロー210を送信するときに圧縮を無効化する。言い換えれば、この態様では、圧縮レベル216が第1のしきい値234を満たすとき、たとえば、圧縮を行うために使用されるリソースのコストに対して、データフロー210を圧縮することによって十分な利得を実現することができないとき、圧縮機構成要素145は、データフロー210を未圧縮データフロー214として送信する。加えて、圧縮無効化構成要素240は、圧縮が無効化されるべき期間またはパケットの数を定義する、1つまたは複数の無効化期間242(以下でZ1およびZ2と呼ばれる、ただし、Zは正の数である)を含み得る。一態様では、圧縮無効化構成要素240は、たとえば、圧縮レベル216が第1のしきい値234を満たす連続回数の数に応じて、1つまたは複数の無効化期間242のうちの1つを選択することができる。言い換えれば、1つまたは複数の無効化期間242は、圧縮が無効化される異なる期間またはパケットの数を各々が有する、複数の無効化期間を含み得る。たとえば、圧縮レベル216が連続回数の第1の数だけ第1のしきい値234を満たすとき、圧縮無効化構成要素240は、1つまたは複数の無効化期間242のうちの第1のものを選択することができる。同様に、たとえば、圧縮レベル216が連続回数の第2の数だけ第1のしきい値234を満たすとき、圧縮無効化構成要素240は、1つまたは複数の無効化期間242のうちの第2のものを選択することができ、ただし、1つまたは複数の無効化期間242のうちの第2のものは、1つまたは複数の無効化期間242のうちの第1のものとは異なる値を有する。1つまたは複数の無効化期間242のうちの第2のもののそのような異なる値は、いくつかの場合には、より高い値であってもよいが、他の場合には、その異なる値はより低い値であってもよい。たとえば、1つまたは複数の無効化期間242のうちの第2のものは、たとえば、圧縮によって十分な利得が実現され得る前により多くの数の後続パケットを必要とし得ると予想されるとき、より高い値であってもよい。
【００３１】
代替または追加の態様では、UE114を参照しながら上記で説明したが、呼処理構成要素140および圧縮機構成要素145の上述の機能は、ワイヤレスサービングノード116および/またはネットワーク112に含まれ得る。たとえば、限定はしないが、呼処理構成要素140および圧縮機構成要素145は、ネットワーク112内に取り付けられたハードウェア、ワイヤレスサービングノード116および/またはネットワーク112のメモリもしくはプロセッサ内に記憶されたソフトウェアもしくはコンピュータ可読媒体および/またはファームウェアであり得る。
【００３２】
図3Aを参照すると、データフロー210の圧縮レベル216の評価およびデータフロー210を送信するときの対応する圧縮の有効化または無効化の一態様のグラフ表現300は、呼処理構成要素140および圧縮機構成要素145の動作を示している。上記で説明したように、圧縮機220は、少なくとも評価期間218の間、データフロー210の部分を圧縮し、結果として、しきい値決定構成要素232が圧縮有効化構成要素244または圧縮無効化構成要素240をトリガして、圧縮機構成要素145が圧縮データフロー212または未圧縮データフロー214を送信するのを可能にし得るように、評価構成要素230は圧縮レベル216を追跡する。
【００３３】
図3Aの例では、圧縮レベル216は、以下の式1で表されるように、圧縮前のデータフローのペイロードサイズの合計分の、圧縮後のデータフローのペイロードサイズの合計を1から引いたものに等しい。
【００３４】
【数１】
2016506134.tif 000003
【００３５】
ただし、圧縮後のデータペイロードの合計量は、データフロー内の過去のX個のデータパケットの圧縮後のペイロードサイズの合計、たとえば、過去のパケットのしきい値数または評価期間218に関連付けられたパケットの数である。圧縮前のデータペイロードの合計量は、データフロー内の過去のX個のデータパケットの圧縮前のペイロードサイズの合計である。
【００３６】
上記で説明したように、Xの値は圧縮が有効化されるかまたは無効化されるかに依存する。たとえば、圧縮有効化構成要素244をトリガするしきい値決定構成要素232によって圧縮が有効化されるとき、XをX1に設定することができ、圧縮無効化構成要素240をトリガするしきい値決定構成要素232によって圧縮が無効化されるとき、XをX2に設定することができる。X1とX2の両方は固定値であってもよく、または可変値であってもよい。
【００３７】
X1およびX2は異なる値に設定されてもよく、または場合によっては、X1およびX2は同じ値に設定されてもよい。たとえば、図3Aでは、一例によれば、X1は3に等しく設定され、X2も3に等しく設定される。ただし、X1およびX2は、圧縮の有効化または無効化の所望のレベルに基づいて、任意の他の値に設定されてもよい。
【００３８】
しきい値決定構成要素232によって判断されたように、評価構成要素230によって追跡される圧縮レベル216がしきい値Y1(たとえば、第1のまたはより低いしきい値234)を下回って低下したとき、圧縮無効化構成要素240は、次のZ1個のパケットについてデータフロー210の圧縮を無効化し、たとえば、Z1は1つまたは複数の無効化期間242のうちの1つに対応する。Z1の値は固定または可変であってもよい。
【００３９】
たとえば、図3Aでは、データフロー210のデータパケット13の後、しきい値決定構成要素232は、圧縮レベル216がしきい値Y1、たとえば、第1のしきい値234を下回って低下したと判断する。その後、圧縮無効化構成要素240は、データフロー210のデータパケット14からデータパケット21(たとえば、Z1個のパケットまたは無効化期間242)について圧縮を無効化する。
【００４０】
未圧縮のZ1個のデータパケットが送信された後、圧縮機220は、評価期間218、たとえば、この例ではX2個のデータパケットまたはデータパケット22から24にわたって、データフロー210で圧縮を行い、同時に、圧縮機構成要素145は、対応するX2個のデータパケットを圧縮せずに、たとえば、未圧縮データフロー214として送信する。加えて、評価構成要素230は、評価期間218、たとえば、未圧縮のZ1個のパケットの送信に続くデータフロー210のX2個のデータパケットに関連付けられたデータパケットの圧縮レベル216を評価する。
【００４１】
しきい値決定構成要素232によって判断されたように、圧縮レベル216がしきい値Y2(たとえば、第2のまたはより高いしきい値236)を越えた場合、圧縮有効化構成要素244は圧縮を有効化し、圧縮機構成要素145は、圧縮データパケットまたは圧縮データフロー212として、データフロー210のデータパケット、たとえば、この例ではパケット25から28の送信を開始する。
【００４２】
図3Bを参照すると、図3Aに類似した一態様では、データフロー210の圧縮レベル216の評価およびデータフロー210を送信するときの対応する圧縮の有効化または無効化の別の態様のグラフ表現302は、無効化期間242(たとえば、Z1)および後続の評価期間218(たとえば、X2)の後で圧縮レベル216が第2のしきい値Y2を越えないときの呼処理構成要素140および圧縮機構成要素145の動作を示している。この場合、圧縮機構成要素145は、第1の無効化期間とは異なる長さを有し得る別の無効化期間242(たとえば、Z2)を開始することができる。次いで、第2の無効化期間242に続いて、圧縮機構成要素145は、評価期間218(たとえば、この例ではX2)について圧縮レベル216の評価を行い、上記の規則に従って、圧縮を有効化するかまたは無効化する。
【００４３】
図3Bの態様では、圧縮レベル216が依然としてしきい値Y1を下回ると判断した後、圧縮が無効化されるデータパケットの数(Z2または無効化期間242)は、そのような圧縮レベル216の連続評価が何回しきい値Y1を超えることができなかったかに応じて、設定され得る。たとえば、一態様では、圧縮レベル216がY2を下回っている期間が長くなるほど、Z2の値が大きくなる。
【００４４】
X1、X2、Y1、Y2、Z1、およびZ2の値は固定または可変であってもよいが、これらの値はまた、無線ネットワークまたはコアネットワークから無線リソース制御(RRC)シグナリングおよび/または他のメッセージを介してシグナリングされ得ることに留意されたい。
【００４５】
圧縮レベル216は、様々な公式に従って計算され得ることに留意されたい。別の態様では、たとえば、圧縮レベル216は以下の式によって定義され得る。
【００４６】
【数２】
2016506134.tif 000004
【００４７】
ただし、Xは、圧縮レベルが計算される過去のデータパケットのしきい値数である。
【００４８】
また別の態様では、圧縮レベル216は以下の式によって定義され得る。
【００４９】
【数３】
2016506134.tif 000005
【００５０】
ただし、圧縮可能であるパケットの数は、過去のデータパケットのしきい値数、たとえば、Xのうちのパケットの数であり、その数について、圧縮後のペイロードサイズは圧縮前のペイロードサイズのK倍よりも小さく、ただし、Kは、特定の適用例に基づいて決定され得る一定値である。
【００５１】
また別の態様では、圧縮レベル216は以下の式によって定義され得る。
【００５２】
【数４】
2016506134.tif 000006
【００５３】
ただし、圧縮可能であるパケットの数は、過去のデータパケットのしきい値数、たとえば、Xのうちのパケットの数であり、その数について、圧縮後のペイロードサイズはKを引いた圧縮前のペイロードサイズよりも小さく、ただし、Kは、特定の適用例に基づいて決定され得る一定値である。
【００５４】
さらに、圧縮レベル216についての代替の定義は、無線またはコアネットワークによってシグナリングされ得る。
【００５５】
図4を参照すると、一態様では、ワイヤレス通信の方法400は、たとえば、実現され得る圧縮レベルに基づいてデータフローの圧縮を選択的に有効化するかまたは無効化するための、図1および図2の呼処理構成要素140および/または圧縮機構成要素145によって実行され得る。
【００５６】
452において、方法400は、圧縮機を介して、圧縮アルゴリズムをデータフローに適用することを含み得る。図1、図2、図3Aおよび図3Bを参照しながら上記で説明したように、UE114またはワイヤレスサービングノード116またはネットワーク112の呼処理構成要素140および/または圧縮機構成要素145は、圧縮機220において圧縮アルゴリズム222をデータフロー210に適用するように構成される。たとえば、UE114が上位のプロトコルレイヤまたはアプリケーションからデータフロー210を受信した後、圧縮機220は、圧縮アルゴリズム222を実行して、データフロー210から圧縮データフロー212を生成するように構成される。圧縮データフロー212内の情報は、未圧縮データフロー214とも呼ばれ得るデータフロー210内の情報のサイズよりも小さいかまたはそれに等しいサイズを有し得る。
【００５７】
上記で説明したように、1つまたは複数のデータフロー210は、TCPベースのパケットの場合は伝送制御プロトコル(TCP)送信元ポート、TCP宛先ポート、IP送信元アドレス、およびIP宛先アドレス、ならびにUDPベースのパケットの場合はユーザデータグラムプロトコル(UDP)送信元ポート、UDP宛先ポート、IP送信元アドレス、およびIP宛先アドレスのうちの1つまたはそれらの組合せに基づいて識別され得る。
【００５８】
453において、方法400は、圧縮アルゴリズムを適用することの結果として生じたデータフローの圧縮レベルを評価することを含み得る。図1、図2、図3Aおよび図3Bを参照しながら上記で説明したように、UE114またはワイヤレスサービングノード116またはネットワーク112の呼処理構成要素140および/または圧縮機構成要素145は、圧縮機220によって圧縮アルゴリズム222を適用することの結果として生じたデータフロー210の圧縮レベル216を評価するように構成される。たとえば、圧縮機構成要素145は、圧縮データフロー212と未圧縮データフロー214との間のサイズの差に基づいて、またはパケットのしきい値数のうちの、少なくとも定義された量だけ圧縮可能であるパケットの数に基づいて、圧縮レベル216を評価するように構成された評価構成要素230を含み得る。評価構成要素230は、任意の数の評価期間218にわたって圧縮レベル216を評価することができ、このことは新しいパケットを受信すると行うことができ、過去のパケットのしきい値数、たとえば、X個のパケットを考慮することができ、この数は、圧縮レベル216を判断するために、ある値、たとえば、圧縮が有効化される場合のX1から、別の値、たとえば、圧縮が無効化される場合のX2まで、変化し得る。より具体的には、いくつかの態様では、圧縮レベル216は、上記で説明した式1〜4に従って評価され得るが、圧縮レベル216はこれらの式に限定されないことに留意されたい。
【００５９】
454において、方法400は、データフローの圧縮レベルがいつ第1のしきい値を下回ったかを判断することを含み得る。図1、図2、図3Aおよび図3Bを参照しながら上記で説明したように、UE114またはワイヤレスサービングノード116またはネットワーク112の呼処理構成要素140および/または圧縮機構成要素145は、データフローの圧縮レベルがいつ第1のしきい値を下回ったかを判断するように構成される。たとえば、各評価期間218にわたって、圧縮機構成要素145は、しきい値決定構成要素232を実行して、データフロー210の圧縮レベル216がいつ第1のもしくはより低いしきい値234またはY1を下回ったかを判断することができる。たとえば、しきい値決定構成要素232は、いつ圧縮が有効化されるかの評価中に(460参照)、または無効化期間242に続いていつ圧縮が無効化されるかの評価中に、データフロー210の圧縮レベル216が第1のしきい値234またはY1を下回ったと判断することができる。いずれの場合も、第1のしきい値234またはY1は、圧縮データフロー212を送信する際の処理リソースおよび/または通信オーバーヘッドの点で、圧縮を行うことによる利得がコストに見合わない値を表す。
【００６０】
455において、方法400は、圧縮レベルが第1のしきい値を下回って低下したときにデータフローの圧縮を無効化することを含み得、第1のしきい値は第2のしきい値よりも小さい。図1、図2、図3Aおよび図3Bを参照しながら上記で説明したように、UE114またはワイヤレスサービングノード116またはネットワーク112の呼処理構成要素140および/または圧縮機構成要素145は、圧縮レベル216が第1のしきい値234またはY1を下回ったときにデータフロー210の圧縮を無効化するように構成される。たとえば、しきい値決定構成要素232が、たとえば、いつ圧縮が有効化されるかの評価中に(460参照)、または無効化期間242に続いていつ圧縮が無効化されるかの評価中に、圧縮レベル216が第1のしきい値234を下回ったと判断した後、圧縮機構成要素145は、圧縮無効化構成要素240を実行して、データフロー210の圧縮の無効化を開始するかまたは継続することができる。455に続いて、たとえば、無効化期間242の後、方法400は、第1のしきい値234および第2のしきい値236に関して圧縮レベル216を評価して、圧縮の無効化を継続するか、または圧縮の有効化を開始するかを判断するために、452および453に戻ることができる。
【００６１】
任意選択で、456において、方法400は、データフローを未圧縮データフローとして送信することを含み得る。図1、図2、図3Aおよび図3Bを参照しながら上記で説明したように、UE114またはワイヤレスサービングノード116またはネットワーク112の呼処理構成要素140および/または圧縮機構成要素145は、たとえば、送信機または送受信機を介して未圧縮データフロー214または元のデータフロー210の送信を開始することができ、または圧縮レベル216が第1のしきい値234またはY1を下回ったときに未圧縮データフロー214を下位プロトコルレイヤに送信することができる。456に続いて、上述したように、方法400は、別の反復を行うために452に戻ることができる。
【００６２】
457において、方法400は、データフローの圧縮レベルがいつ第2のしきい値を上回ったかを判断することを含み得る。図1、図2、図3Aおよび図3Bを参照しながら上記で説明したように、UE114またはワイヤレスサービングノード116またはネットワーク112の呼処理構成要素140および/または圧縮機構成要素145は、データフロー210の圧縮レベル216がいつ第2のしきい値236またはY2を上回ったかを判断するように構成される。たとえば、各評価期間218にわたって、圧縮機構成要素145は、しきい値決定構成要素232を実行して、データフロー210の圧縮レベル216がいつ第2のもしくはより高いしきい値236またはY2を上回ったかを判断することができる。たとえば、しきい値決定構成要素232は、たとえば、無効化期間242に続いて、いつ圧縮が無効化されるかの評価中に、データフロー210の圧縮レベル216が第2のしきい値236またはY2を上回ったと判断することができるが、そのような判断は、いつ圧縮が有効化されるかの評価中にも行われ得る(とはいえ、一般的に、圧縮を無効化するための第1のしきい値234は、圧縮が有効化される場合のより関連性のあるしきい値と見なされ得る)。いずれの場合も、第2のしきい値236またはY2は、圧縮データフロー212を送信する際の処理リソースおよび/または通信オーバーヘッドの点で、圧縮を行うことによる利得がコストに見合う値を表す。
【００６３】
458において、方法400は、圧縮レベルが第2のしきい値を上回ったときにデータフローの圧縮を有効化することを含み得、第2のしきい値は第1のしきい値よりも大きい。図1、図2、図3Aおよび図3Bを参照しながら上記で説明したように、UE114またはワイヤレスサービングノード116またはネットワーク112の呼処理構成要素140および/または圧縮機構成要素145は、圧縮レベル216が第2のしきい値236を上回ったときにデータフロー210の圧縮を有効化するように構成される。たとえば、しきい値決定構成要素232が、圧縮レベル216が第2のしきい値236またはY2を上回ったと判断した後、圧縮有効化構成要素244は、データフロー210での圧縮を有効化する。一態様では、圧縮有効化構成要素244は、圧縮が無効化されている場合、圧縮レベル216が第2のしきい値236またはY2を上回ったときにデータフロー210での圧縮を有効化するように動作する。言い換えれば、圧縮が無効化されると、たとえば、圧縮レベル216が第1のしきい値234またはY1を下回ると、圧縮有効化構成要素244は、圧縮レベル216が第2のしきい値236またはY2を上回るまで、再び圧縮を有効化しなくてもよい。したがって、圧縮が有効化されている場合、圧縮機構成要素145は送信のための圧縮データフロー212を生成する。一態様では、458に続いて、方法400は、評価プロセスを反復するために452に戻ることができる。
【００６４】
任意選択で、459において、方法400は、データフローを圧縮データフローとして送信することを含み得る。図1、図2、図3Aおよび図3Bを参照しながら上記で説明したように、UE114またはワイヤレスサービングノード116またはネットワーク112の呼処理構成要素140および/または圧縮機構成要素145は、たとえば、送信機または送受信機を介して送信を開始することができ、または圧縮レベル216が第2のしきい値236またはY2を満たすときに圧縮データフロー212を送信することができる。一態様では、459に続いて、方法400は、評価プロセスを反復するために452に戻ることができる。
【００６５】
追加の任意の態様では、460において、方法400は、圧縮を有効化した後に、圧縮レベルが第1のしきい値を上回ったかどうかを判断することを含み得る。たとえば、圧縮を最初に有効化した後、圧縮有効化構成要素244は、圧縮レベル216が圧縮を無効化するための第1のしきい値234またはY1を上回る限り、データフロー210の圧縮を有効化し続ける。言い換えれば、圧縮が有効化されると、圧縮有効化構成要素244は、連続する評価期間218にわたってデータフロー210の圧縮を有効化し続けることができ、このことは新しいパケットを受信すると行うことができ、圧縮レベルが第1のしきい値234またはY1を上回る限り、過去のパケットのしきい値数、たとえば、X個のパケットについての圧縮レベル216を考慮することができる。そうである場合、方法400は、データフローを圧縮データフロー212として送信するために459に戻り、次いで460に戻って反復することを含み得る。そうでない場合、方法400は、455に進んで圧縮を無効化し、データフローを未圧縮データフロー214として送信するために456に進み、次いで方法400の冒頭に戻ることができる。
【００６６】
一態様では、たとえば、方法400は、呼処理構成要素140および/または圧縮機構成要素145(図1および図2)を実行するUE114またはワイヤレスサービングノード116またはネットワーク112(図1および図2)、あるいはそれらのそれぞれの構成要素によって操作され得る。
【００６７】
したがって、本装置および本方法の態様は、パケットデータフローの圧縮中の処理リソースの利用を改善することを含む。
【００６８】
図5を参照すると、一態様では、図1および図2のUE114および/またはワイヤレスサービングノード116は、特別にプログラムまたは構成されたコンピュータデバイス580によって実装されてもよく、この特別なプログラムまたは構成は、本明細書で説明するような呼処理構成要素140を含む。たとえば、UE114(図1および図2)として実装する場合、コンピュータデバイス580は、特別にプログラムされたコンピュータ可読命令もしくはコード、ファームウェア、ハードウェア、またはそれらの何らかの組合せなどにおいて、データを計算し、UE114からワイヤレスサービングノード116を介してネットワーク112に送信するための1つまたは複数の構成要素を含むことができる。コンピュータデバイス580は、本明細書で説明する構成要素および機能のうちの1つまたは複数に関連する処理機能を実行するための、プロセッサ582を含む。プロセッサ582は、プロセッサまたはマルチコアプロセッサの単一のセットまたは複数のセットを含み得る。その上、プロセッサ582は、統合処理システムおよび/または分散処理システムとして実装されてもよい。
【００６９】
コンピュータデバイス580は、プロセッサ582によって実行されているアプリケーションの本明細書で使用されるデータおよび/またはローカルバージョンを記憶するなどのためのメモリ584をさらに含む。メモリ584は、ランダムアクセスメモリ(RAM)、読取り専用メモリ(ROM)、テープ、磁気ディスク、光ディスク、揮発性メモリ、不揮発性メモリ、およびそれらの任意の組合せなど、コンピュータが使用できる任意のタイプのメモリを含むことができる。
【００７０】
さらに、コンピュータデバイス580は、本明細書で説明するように、ハードウェア、ソフトウェア、およびサービスを利用して、1つまたは複数の相手との通信を確立し維持することを可能にする、通信構成要素586を含む。通信構成要素586は、コンピュータデバイス580上の構成要素間の通信、ならびに、コンピュータデバイス580と、通信ネットワーク上に位置するデバイス、および/またはコンピュータデバイス580に直列またはローカルに接続されたデバイスなどの外部デバイスとの間の通信を、伝え得る。たとえば、通信構成要素586は、1つまたは複数のバスを含んでもよく、外部デバイスとのインターフェースをとるように動作可能な、送信機および受信機にそれぞれ関連付けられ、送信機および受信機を含む送信チェーン構成要素および受信チェーン構成要素、またはトランシーバをさらに含んでもよい。
【００７１】
さらに、コンピュータデバイス580は、データ記憶装置588をさらに含んでよく、データ記憶装置588は、本明細書で説明する態様に関連して利用される情報、データベース、およびプログラムの大容量記憶を実現する、ハードウェアおよび/またはソフトウェアの任意の適切な組合せであり得る。たとえば、データ記憶装置588は、プロセッサ582によって現在実行されていないアプリケーションのためのデータリポジトリであり得る。
【００７２】
コンピュータデバイス580は、さらに、コンピュータデバイス580のユーザから入力を受け取るように動作可能で、ユーザへの提示のための出力を生成するようにさらに動作可能な、ユーザインターフェース構成要素589を含み得る。ユーザインターフェース構成要素589は、限定はしないが、キーボード、ナンバーパッド、マウス、タッチ感知式ディスプレイ、ナビゲーションキー、ファンクションキー、マイクロフォン、音声認識構成要素、ユーザからの入力を受け取ることが可能な任意の他の機構、またはそれらの任意の組合せを含む、1つまたは複数の入力デバイスを含み得る。さらに、ユーザインターフェース構成要素589は、限定はされないが、ディスプレイ、スピーカー、触覚フィードバック機構、プリンタ、ユーザに出力を提示することが可能な任意の他の機構、またはそれらの任意の組合せを含む1つまたは複数の出力デバイスを含み得る。
【００７３】
さらに、コンピュータデバイス580は、本明細書で説明する機能を実行するように構成され得る呼処理構成要素140を含むこと、または呼処理構成要素140と通信していることがある。
【００７４】
図6を参照すると、一態様では、装置600のハードウェア実装の一例は、上述の機能を実装する呼処理構成要素140および圧縮機構成要素145(図1および図2)を含むように構成された処理システム614を使用し得る。この例では、処理システム614は、バス602によって全般的に表されるバスアーキテクチャで実装され得る。バス602は、処理システム614の具体的な用途および全体的な設計制約に応じて、任意の数の相互接続するバスおよびブリッジを含み得る。バス602は、プロセッサ604によって概略的に表される1つまたは複数のプロセッサ、およびコンピュータ可読媒体606によって概略的に表されるコンピュータ可読媒体を含む様々な回路を互いにリンクさせる。バス602は、タイミングソース、周辺機器、電圧調整器、および電力管理回路など、様々な他の回路をリンクさせることもでき、これらの回路は当技術分野でよく知られており、したがって、これ以上は説明しない。バスインターフェース608は、バス602とトランシーバ610との間にインターフェースを提供する。トランシーバ610は、送信媒体上の様々な他の装置と通信するための手段を提供する。また、装置の性質に応じて、ユーザインターフェース612(たとえば、キーパッド、ディスプレイ、スピーカー、マイクロフォン、ジョイスティックなど)が設けられてもよい。
【００７５】
プロセッサ604は、バス602の管理、およびコンピュータ可読媒体606上に記憶されたソフトウェアの実行を含む全般的な処理を受け持つ。ソフトウェアは、プロセッサ604によって実行されると、任意の特定の装置の以下で説明される様々な機能を処理システム614に実行させる。コンピュータ可読媒体606は、ソフトウェアを実行するときにプロセッサ604によって操作されるデータを記憶するために使用されてもよい。
【００７６】
一態様では、プロセッサ604、コンピュータ可読媒体606、または両方の組合せは、本明細書で説明するように呼処理構成要素140および/または圧縮機構成要素145(図1および図2)の機能を実行するように構成されるか、あるいは特別にプログラムされ得る。
【００７７】
本開示全体にわたって提示される様々な概念は、広範な電気通信システム、ネットワークアーキテクチャ、および通信規格にわたって実装され得る。
【００７８】
図7を参照すると、限定されるものではないが、例として、本開示の態様は、W-CDMAエアインターフェースを使用するUMTSシステム700を参照して示される。UMTSネットワークは、コアネットワーク(CN)704、UMTS Terrestrial Radio Access Network(UTRAN)702、およびユーザ機器(UE)710の3つの相互作用する領域を含む。UE710は、たとえば、上述の機能を実装する呼処理構成要素140および/または圧縮機構成要素145(図1および図2)を含むように構成され得る。この例では、UTRAN702は、電話、ビデオ、データ、メッセージング、ブロードキャスト、および/または他のサービスを含む様々なワイヤレスサービスを提供する。UTRAN702は、無線ネットワークコントローラ(RNC)706などのそれぞれのRNCによって各々制御される、無線ネットワークサブシステム(RNS)707などの複数のRNSを含み得る。ここで、UTRAN702は、本明細書で説明するRNC706およびRNS707に加えて、任意の数のRNC706およびRNS707を含むことができる。RNC706は、とりわけ、RNS707内の無線リソースの割り当て、再構成、および解放を担う装置である。RNC706は、任意の適切なトランスポートネットワークを使用する、直接の物理接続、仮想ネットワークなど様々なタイプのインターフェースを介して、UTRAN702中の他のRNC(図示せず)に相互接続され得る。
【００７９】
UE710とNodeB708との間の通信は、物理(PHY)層および媒体アクセス制御(MAC)層を含むものと見なされ得る。さらに、それぞれのNodeB708によるUE710とRNC706との間の通信は、無線リソース制御(RRC)層を含むものと見なされ得る。本明細書では、PHY層は、層1と見なされ、MAC層は、層2と見なされ、RRC層は、層3と見なされ得る。以下、情報は、参照により本明細書に組み込まれるRRC Protocol Specification、3GPP TS 25.331に述べられている用語を使用する。
【００８０】
RNS707によってカバーされる地理的領域は、いくつかのセルに分けることができ、無線トランシーバ装置が各セルにサービスする。無線トランシーバ装置は、通常、UMTS適用例ではNodeBと呼ばれるが、当業者によって、基地局(BS)、送受信基地局(BTS)、無線基地局、無線トランシーバ、トランシーバ機能、基本サービスセット(BSS)、拡張サービスセット(ESS)、アクセスポイント(AP)、または何らかの他の適切な用語で呼ばれることもある。明快にするために、各RNS707に3つのNodeB708が示されているが、RNS707は、任意の数のワイヤレスNodeBを含んでもよい。NodeB708は、ワイヤレスアクセスポイントを任意の数のモバイル装置のためのCN704に提供する。モバイル装置の例には、携帯電話、スマートフォン、セッション開始プロトコル(SIP)電話、ラップトップ、ノートブック、ネットブック、スマートブック、携帯情報端末(PDA)、衛星ラジオ、全地球測位システム(GPS)デバイス、マルチメディアデバイス、ビデオ装置、デジタルオーディオプレーヤ(たとえば、MP3プレーヤなど)、カメラ、ゲーム機、または任意の他の類似の機能デバイスなどがある。UE710は、通常、UMTS適用例ではUEと呼ばれるが、当業者によって、移動局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、端末、ユーザエージェント、モバイルクライアント、クライアント、またはいくつかの他の適切な用語で呼ばれることもある。UMTSシステムでは、UE710は、ネットワークへのユーザの加入情報を含む汎用加入者識別モジュール(USIM)711をさらに含み得る。説明のために、1つのUE710がいくつかのNodeB708と通信しているように示される。順方向リンクとも呼ばれるダウンリンク(DL)は、NodeB708からUE710への通信リンクを指し、逆方向リンクとも呼ばれるアップリンク(UL)は、UE710からNodeB708への通信リンクを指す。
【００８１】
CN704は、UTRAN702など1つまたは複数のアクセスネットワークとインターフェースをとる。図示のように、CN704は、GSM(登録商標)コアネットワークである。しかしながら、当業者が認識するように、GSM(登録商標)ネットワーク以外のタイプのCNへのアクセスをUEに提供するために、本開示全体にわたって提示される様々な概念を、RANまたは他の適切なアクセスネットワークにおいて実装することができる。
【００８２】
CN704は、回線交換(CS)領域およびパケット交換(PS)領域を含む。回線交換要素のいくつかは、モバイルサービス交換センター(MSC)、ビジターロケーションレジスタ(VLR)、およびゲートウェイMSCである。パケット交換要素は、サービングGPRSサポートノード(SGSN)、およびゲートウェイGPRSサポートノード(GGSN)を含む。EIR、HLR、VLR、およびAuCのようないくつかのネットワーク要素は、回線交換領域とパケット交換領域の両方によって共有され得る。図示の例では、CN704は、MSC712およびGMSC714によって回線交換サービスをサポートする。いくつかの用途では、GMSC714は、メディアゲートウェイ(MGW)とも呼ばれ得る。RNC706のような1つまたは複数のRNCが、MSC712に接続され得る。MSC712は、呼設定、呼ルーティング、およびUEモビリティ機能を制御する装置である。MSC712は、UEがMSC712のカバレッジエリア内にある間に加入者関連の情報を格納するVLRも含む。GMSC714は、UEが回線交換ネットワーク716にアクセスするためのゲートウェイを、MSC712を通じて提供する。GMSC714は、特定のユーザが加入したサービスの詳細を反映するデータのような加入者データを格納するホームロケーションレジスタ(HLR)715を含む。HLRは、加入者に固有の認証データを格納する認証センター(AuC)とも関連付けられている。特定のUEについて、呼が受信されると、GMSC714は、UEの位置を判断するためにHLR715に問い合わせ、その位置でサービスする特定のMSCに呼を転送する。
【００８３】
CN704はまた、サービングGPRSサポートノード(SGSN)718およびゲートウェイGPRSサポートノード(GGSN)720によって、パケットデータサービスをサポートする。汎用パケット無線サービスを表すGPRSは、標準の回線交換データサービスで可能なものよりも速い速度でパケットデータサービスを提供するよう設計されている。GGSN720は、パケットベースネットワーク722へのUTRAN702の接続を提供する。パケットベースネットワーク722は、インターネット、プライベートデータネットワーク、または何らかの他の適切なパケットベースネットワークでもよい。GGSN720の一次機能は、UE710にパケットベースネットワーク接続を提供することである。データパケットは、MSC712が回線交換領域において実行するのと同じ機能をパケットベース領域において主に実行するSGSN718を介して、GGSN720とUE710との間で転送され得る。
【００８４】
UMTSのエアインターフェースは、スペクトラム拡散直接シーケンス符号分割多元接続(DS-CDMA)システムを利用してよい。スペクトラム拡散DS-CDMAは、チップと呼ばれる一連の疑似ランダムビットとの乗算によって、ユーザデータを拡散させる。UMTSの「広帯域」W-CDMAエアインターフェースは、そのような直接シーケンススペクトラム拡散技術に基づいており、さらに周波数分割複信(FDD)を必要とする。FDDは、NodeB708とUE710との間のULおよびDLに異なるキャリア周波数を使用する。DS-CDMAを利用し、時分割複信(TDD)を使用するUMTSの別のエアインターフェースは、TD-SCDMAエアインターフェースである。本明細書で説明される様々な例は、W-CDMAエアインターフェースを指し得るが、基礎をなす原理はTD-SCDMAエアインターフェースに等しく適用可能であり得ることを、当業者は理解するだろう。
【００８５】
HSPAエアインターフェースは、スループットの向上および遅延の低減を支援する、3G/W-CDMAエアインターフェースに対する一連の拡張を含む。前のリリースに対する他の修正には、HSPAが、ハイブリッド自動再送要求(HARQ)、チャネル送信の共有、ならびに適応変調および適応符号化を利用する。HSPAを定義する規格は、HSDPA(高速ダウンリンクパケットアクセス)およびHSUPA(高速アップリンクパケットアクセス、拡張アップリンクまたはEULとも呼ばれる)を含む。
【００８６】
HSDPAは、高速ダウンリンク共有チャネル(HS-DSCH)を、トランスポートチャネルとして利用する。HS-DSCHは、高速物理ダウンリンク共有チャネル(HS-PDSCH)、高速共有制御チャネル(HS-SCCH)、および高速専用物理制御チャネル(HS-DPCCH)という、3つの物理チャネルによって実装される。
【００８７】
これらの物理チャネルの中でも、HS-DPCCHは、対応するパケット送信の復号が成功したかどうかを示すための、HARQ ACK/NACKシグナリングをアップリンクで搬送する。つまり、ダウンリンクに関して、UE710は、ダウンリンク上のパケットを正常に復号したかどうかを示すために、HS-DPCCHを通じてフィードバックをノードB708に与える。
【００８８】
HS-DPCCHはさらに、変調方式と符号化方式の選択、およびプリコーディングの重みの選択に関して、ノードB708が正しい決定を行うのを支援するための、UE710からのフィードバックシグナリングを含み、このフィードバックシグナリングはCQIおよびPCIを含む。
【００８９】
「HSPA Evolved」またはHSPA+は、MIMOおよび64-QAMを含むHSPA規格の進化形であり、スループットの増大およびパフォーマンスの向上を可能にする。つまり、本開示のある態様では、ノードB708および/またはUE710は、MIMO技術をサポートする複数のアンテナを有し得る。MIMO技術の使用により、ノードB708は空間領域を活用して、空間多重化、ビームフォーミング、および送信ダイバーシティをサポートすることができる。
【００９０】
多入力多出力(MIMO)は、マルチアンテナ技術、すなわち複数の送信アンテナ(チャネルへの複数の入力)および複数の受信アンテナ(チャネルからの複数の出力)を指す際に一般に使用される用語である。MIMOシステムは一般にデータ伝送パフォーマンスを高め、ダイバーシティ利得がマルチパスフェージングを低減させて伝送品質を高めること、および空間多重化利得がデータスループットを向上させることを可能にする。
【００９１】
空間多重化を使用して、同じ周波数で同時に様々なデータストリームを送信することができる。データストリームを単一のUE710に送信してデータレートを上げること、または複数のUE710に送信して全体的なシステム容量を拡大することができる。これは、各データストリームを空間的にプリコーディングし、次いで空間的にプリコーディングされた各ストリームをダウンリンクで異なる送信アンテナを介して送信することによって達成される。空間的にプリコーディングされたデータストリームは、様々な空間シグネチャを伴いUE710に到着し、これによりUE710の各々は、当該UE710に向けられた1つまたは複数のデータストリームを回復することができる。アップリンク上では、各UE710は、1つまたは複数の空間的にプリコーディングされたデータストリームを送信することができ、これによりノードB708は空間的にプリコーディングされた各データストリームのソースを識別することができる。
【００９２】
空間多重化は、チャネル状態が良好なときに使用できる。チャネル状態がさほど好ましくないときは、ビームフォーミングを使用して送信エネルギーを1つもしくは複数の方向に集中させること、またはチャネルの特性に基づいて送信を改善することができる。これは、複数のアンテナを介して送信するデータストリームを空間的にプリコーディングすることによって達成できる。セルの端において良好なカバレージを達成するために、シングルストリームビームフォーミング伝送を送信ダイバーシティと組み合わせて使用できる。
【００９３】
一般に、n個の送信アンテナを利用するMIMOシステムの場合、同じチャネル化コードを利用して同じキャリアでn個のトランスポートブロックが同時に送信され得る。n個の送信アンテナで送られる異なるトランスポートブロックは、互いに同じまたは異なる変調方式および符号化方式を有し得ることに留意されたい。
【００９４】
一方、単入力多出力(SIMO)は一般に、単一の送信アンテナ(チャネルへの単一の入力)および複数の受信アンテナ(チャネルからの複数の出力)を利用するシステムを指す。それによって、SIMOシステムでは、単一のトランスポートブロックがそれぞれのキャリアで送られ得る。
【００９５】
図8を参照すると、UTRANアーキテクチャにおけるアクセスネットワーク800は、呼処理構成要素140および/または圧縮機構成要素145(図1および図2)を含むUEが動作し本明細書で説明する機能を実行することができる、複数のセルラー領域(セル)を含む。アクセスネットワーク800のセルラー領域は、セル802、804、および806を含み、セルの各々は、1つまたは複数のセクタを含み得る。複数のセクタはアンテナのグループによって形成されてよく、各々のアンテナがセルの一部にあるUEとの通信を担う。たとえば、セル802において、アンテナグループ812、814、および816は、各々異なるセクタに対応し得る。セル804において、アンテナグループ818、820、および822は、各々異なるセクタに対応する。セル806において、アンテナグループ824、826、および828は、各々異なるセクタに対応する。セル802、804、および806は、各セル802、804、または806の1つまたは複数のセクタと通信していてもよい、いくつかのワイヤレス通信デバイス、たとえばユーザ機器またはUEを含み得る。たとえば、UE830および832は、NodeB842と通信していてもよく、UE834および836は、NodeB844と通信していてもよく、UE838および840は、NodeB846と通信していてもよい。ここで、各NodeB842、844、846は、それぞれのセル802、804、および806の中のすべてのUE830、832、834、836、838、840のために、CN904(図9参照)へのアクセスポイントを提供するように構成される。NodeB842、844、846およびUE830、832、834、836、838、840はそれぞれ、たとえば、上述の機能を実装する呼処理構成要素140および/または圧縮機構成要素145(図1および図2)を含むように構成され得る。
【００９６】
UE834がセル804における図示された位置からセル806に移動するとき、サービングセル変更(SCC)またはハンドオーバが生じて、UE834との通信が、ソースセルと呼ばれ得るセル804からターゲットセルと呼ばれ得るセル806に移行することがある。UE834において、それぞれのセルに対応するNodeBにおいて、無線ネットワークコントローラ806(図8参照)において、またはワイヤレスネットワークにおける別の適切なノードにおいて、ハンドオーバプロシージャの管理が生じ得る。たとえば、ソースセル804との呼の間、または任意の他の時間において、UE834は、ソースセル804の様々なパラメータ、ならびに、セル806、および802のような近隣セルの様々なパラメータを監視することができる。さらに、これらのパラメータの品質に応じて、UE834は、近隣セルの1つまたは複数との通信を保つことができる。この期間において、UE834は、UE834が同時に接続されるセルのリストであるアクティブセットを保持することができる(すなわち、ダウンリンク専用物理チャネルDPCHまたはフラクショナルダウンリンク専用物理チャネルF-DPCHをUE834に現在割り当てているUTRAセルが、アクティブセットを構成し得る)。
【００９７】
アクセスネットワーク800によって用いられる変調方式および多元接続方式は、導入されている特定の電気通信規格に応じて異なり得る。例として、規格は、Evolution-Data Optimized(EV-DO)またはUltra Mobile Broadband(UMB)を含み得る。EV-DOおよびUMBは、CDMA2000規格ファミリーの一部として第3世代パートナーシッププロジェクト2(3GPP2)によって公表されたエアインターフェース規格であり、CDMAを用いて移動局にブロードバンドインターネットアクセスを提供する。規格は代替的に、広帯域CDMA(W-CDMA)およびTD-SCDMAなどのCDMAの他の変形態を用いるUniversal Terrestrial Radio Access(UTRA)、TDMAを用いるGlobal System for Mobile Communications(GSM(登録商標))、ならびにOFDMAを用いるEvolved UTRA(E-UTRA)、Ultra Mobile Broadband(UMB)、およびFlash-OFDMであり得る。CDMA2000およびUMBは、3GPP2団体による文書に記述されている。実際の利用されるワイヤレス通信規格、多元接続技術は、具体的な用途およびシステム全体に課される設計制約に依存する。
【００９８】
無線プロトコルアーキテクチャは、具体的な用途に応じて様々な形態をとり得る。ここでHSPAシステムに関する一例を、図9を参照して提示する。
【００９９】
図9を参照すると、ユーザプレーン902および制御プレーン904の無線プロトコルアーキテクチャ900の一例は、ネットワーク112内のエンティティおよび/またはUE114(図1および図2)など、ネットワークエンティティおよび/またはUEに含まれ得る。UEおよびノードBの無線プロトコルアーキテクチャ900は、層1 906、層2 908、および層3 910という3つの層で示される。層1 906は最下層であり、様々な物理層の信号処理機能を実装する。したがって、層1 906は物理層906を含む。層2(L2層)908は、物理層906の上にあり、物理層906を通じたUEとノードBとの間のリンクを担う。層3(L3層)910は、無線リソース制御(RRC)サブレイヤ916を含む。RRCサブレイヤ916は、UEとUTRANとの間の層3の制御プレーンシグナリングを処理する。
【０１００】
ユーザプレーンでは、L2層908は、媒体アクセス制御(MAC)サブレイヤ909、無線リンク制御(RLC)サブレイヤ912、およびパケットデータコンバージェンスプロトコル(PDCP)サブレイヤ914を含み、これらはネットワーク側のノードBで終端する。示されないが、UEは、ネットワーク側のPDNゲートウェイで終端するネットワーク層(たとえばIP層)と、接続の他の端部(たとえば、遠端のUE、サーバなど)で終端するアプリケーション層とを含めて、L2層908より上にいくつかの上位層を有し得る。
【０１０１】
PDCPサブレイヤ914は、異なる無線ベアラと論理チャネルとの間の多重化を行う。PDCPサブレイヤ914はまた、無線送信のオーバーヘッドを低減するための上位層データパケットのヘッダ圧縮、データパケットの暗号化によるセキュリティ、および、ノードB間のUEのハンドオーバのサポートを実現する。RLCサブレイヤ912は、上位層のデータパケットのセグメント化および再構築、失われたデータパケットの再送信、ならびに、ハイブリッド自動再送要求(HARQ)による順序の狂った受信を補償するためのデータパケットの再順序付けを行う。MACサブレイヤ910は、論理チャネルとトランスポートチャネルとの間の多重化を行う。MACサブレイヤ910はまた、1つのセルの中の様々な無線リソース(たとえばリソースブロック)の複数のUEへの割り当てを担う。MACサブレイヤ910はまた、HARQ動作も担う。
【０１０２】
図10を参照すると、通信システム1000は、UE1050と通信するNodeB1010を含み、NodeB1010は、ワイヤレスサービングノード116またはネットワーク112内のエンティティであってもよく、UE1050は、図1および図2で説明した態様による呼処理構成要素140および/または圧縮機構成要素145を有するUE114であってもよい。ダウンリンク通信では、送信プロセッサ1020は、データ源1012からデータを受信し、コントローラ/プロセッサ1040から制御信号を受信することができる。送信プロセッサ1020は、参照信号(たとえばパイロット信号)とともに、データ信号および制御信号のための様々な信号処理機能を提供する。たとえば、送信プロセッサ1020は、誤り検出のための巡回冗長検査(CRC)コード、順方向誤り訂正(FEC)を支援するための符号化およびインターリービング、様々な変調方式(たとえば、二位相偏移変調(BPSK)、四位相偏移変調(QPSK)、M-位相偏移変調(M-PSK)、M-直角位相振幅変調(M-QAM)など)に基づいた信号配列へのマッピング、直交可変拡散率(OVSF)による拡散、および、一連のシンボルを生成するためのスクランブリングコードとの乗算を、提供することができる。送信プロセッサ1020のための、符号化方式、変調方式、拡散方式および/またはスクランブリング方式を決定するために、チャネルプロセッサ1044からのチャネル推定が、コントローラ/プロセッサ1040によって使われ得る。これらのチャネル推定は、UE1050によって送信される参照信号から、またはUE1050からのフィードバックから、導出され得る。送信プロセッサ1020によって生成されたシンボルは、フレーム構造を作成するために、送信フレームプロセッサ1030に与えられる。送信フレームプロセッサ1030は、コントローラ/プロセッサ1040からの情報とシンボルとを多重化することによって、このフレーム構造を作成し、一連のフレームが得られる。次いでこのフレームは送信機1032に与えられ、送信機1032は、アンテナ1034を通じたワイヤレス媒体によるダウンリンク送信のために、増幅、フィルタリング、およびフレームのキャリア上への変調を含む、様々な信号調整機能を提供する。アンテナ1034は、たとえば、ビームステアリング双方向適応アンテナアレイまたは他の同様のビーム技術を含む、1つまたは複数のアンテナを含み得る。
【０１０３】
UE1050において、受信機1054は、アンテナ1052を通じてダウンリンク送信を受信し、その送信を処理してキャリア上へ変調されている情報を回復する。受信機1054によって回復された情報は、受信フレームプロセッサ1060に与えられ、受信フレームプロセッサ1060は、各フレームを解析し、フレームからの情報をチャネルプロセッサ1094に提供し、データ信号、制御信号、および参照信号を受信プロセッサ1070に提供する。受信プロセッサ1070は次いで、NodeB1010中の送信プロセッサ1020によって実行される処理の逆を実行する。より具体的には、受信プロセッサ1070は、シンボルを逆スクランブルおよび逆拡散し、次いで変調方式に基づいて、NodeB1010によって送信された、最も可能性の高い信号配列点を求める。これらの軟判定は、チャネルプロセッサ1094によって計算されるチャネル推定に基づき得る。そして軟判定は、データ信号、制御信号、および参照信号を回復するために、復号されてデインターリーブされる。そして、フレームの復号が成功したかどうか判断するために、CRCコードが確認される。次いで、復号に成功したフレームによって搬送されるデータがデータシンク1072に与えられ、データシンク1072は、UE1050および/または様々なユーザインターフェース(たとえばディスプレイ)において実行されているアプリケーションを表す。復号に成功したフレームが搬送する制御信号は、コントローラ/プロセッサ1090に与えられる。受信プロセッサ1070によるフレームの復号が失敗すると、コントローラ/プロセッサ1090は、確認応答(ACK)プロトコルおよび/または否定応答(NACK)プロトコルを用いて、そうしたフレームの再送信要求をサポートすることもできる。
【０１０４】
アップリンクでは、データ源1078からのデータおよびコントローラ/プロセッサ1090からの制御信号が、送信プロセッサ1080に与えられる。データ源1078は、UE1050で実行されているアプリケーションおよび様々なユーザインターフェース(たとえばキーボード)を表し得る。NodeB1010によるダウンリンク送信に関して説明する機能と同様に、送信プロセッサ1080は、CRCコード、FECを支援するための符号化およびインターリービング、信号配列へのマッピング、OVSFによる拡散、および、一連のシンボルを生成するためのスクランブリングを含む、様々な信号処理機能を提供する。NodeB1010によって送信される参照信号から、または、NodeB1010によって送信されるミッドアンブル中に含まれるフィードバックから、チャネルプロセッサ1094によって導出されるチャネル推定が、適切な符号化方式、変調方式、拡散方式、および/またはスクランブリング方式を選択するために、使われ得る。送信プロセッサ1080によって生成されたシンボルは、フレーム構造を作成するために、送信フレームプロセッサ1082に与えられる。送信フレームプロセッサ1082は、コントローラ/プロセッサ1090からの情報とシンボルとを多重化することによって、このフレーム構造を作成し、一連のフレームが得られる。次いでこのフレームは送信機1056に与えられ、送信機1056は、アンテナ1052を通じたワイヤレス媒体によるアップリンク送信のために、増幅、フィルタリング、およびフレームのキャリア上への変調を含む、様々な信号調整機能を提供する。
【０１０５】
アップリンク送信は、UE1050において受信機機能に関して説明されたのと同様の方式で、NodeB1010において処理される。受信機1035は、アンテナ1034を通じてアップリンク送信を受信し、その送信を処理してキャリア上へ変調されている情報を回復する。受信機1035によって回復された情報は、受信フレームプロセッサ1036に与えられ、受信フレームプロセッサ1036は、各フレームを解析し、フレームからの情報をチャネルプロセッサ1044に提供し、データ信号、制御信号、および参照信号を受信プロセッサ1038に提供する。受信プロセッサ1038は、UE1050中の送信プロセッサ1080によって実行される処理の逆を実行する。次いで、復号に成功したフレームによって搬送されるデータ信号および制御信号が、データシンク1039およびコントローラ/プロセッサにそれぞれ与えられ得る。フレームの一部が、受信プロセッサによる復号に失敗すると、コントローラ/プロセッサ1040は、確認応答(ACK)プロトコルおよび/または否定応答(NACK)プロトコルを用いて、そうしたフレームの再送信要求をサポートすることもできる。
【０１０６】
コントローラ/プロセッサ1040および1090は、それぞれNodeB1010およびUE1050における動作を指示するために使われ得る。たとえば、コントローラ/プロセッサ1040および1090は、タイミング、周辺インターフェース、電圧調整、電力管理、および他の制御機能を含む、様々な機能を提供することができる。メモリ1042および1092のコンピュータ可読媒体は、それぞれ、NodeB1010およびUE1050のためのデータおよびソフトウェアを記憶することができる。NodeB1010におけるスケジューラ/プロセッサ1046は、リソースをUEに割り振り、UEのダウンリンク送信および/またはアップリンク送信をスケジューリングするために、使われ得る。
【０１０７】
W-CDMAシステムを参照して、電気通信システムのいくつかの態様を示してきた。当業者が容易に諒解するように、本開示全体にわたって説明する様々な態様は、他の電気通信システム、ネットワークアーキテクチャおよび通信規格に拡張され得る。
【０１０８】
例として、様々な態様は、他のUMTS、たとえばTD-SCDMA、高速ダウンリンクパケットアクセス(HSDPA)、高速アップリンクパケットアクセス(HSUPA)、高速パケットアクセスプラス(HSPA+)およびTD-CDMAに拡張され得る。様々な態様はまた、Long Term Evolution(LTE)(FDD、TDD、またはこれら両方のモードによる)、LTE-Advanced(LTE-A)(FDD、TDD、またはこれら両方のモードによる)、CDMA2000、Evolution-Data Optimized(EV-DO)、Ultra Mobile Broadband(UMB)、IEEE 802.11(Wi-Fi)、IEEE 802.16(WiMAX)、IEEE 802.20、Ultra-Wideband(UWB)、Bluetooth(登録商標)、および/または他の適切なシステムを利用するシステムに拡張され得る。実際の利用される電気通信規格、ネットワークアーキテクチャ、および/または通信規格は、具体的な用途およびシステム全体に課される設計制約に依存する。
【０１０９】
本開示の様々な態様によれば、要素または要素の一部分または要素の組合せを、1つまたは複数のプロセッサを含む「処理システム」またはプロセッサ(図5または図6)で実装できる。プロセッサの例として、マイクロプロセッサ、マイクロコントローラ、デジタル信号プロセッサ(DSP)、フィールドプログラマブルゲートアレイ(FPGA)、プログラマブルロジックデバイス(PLD)、状態機械、ゲート論理回路、個別ハードウェア回路、および本開示全体にわたって説明する様々な機能を実施するように構成された他の適切なハードウェアがある。処理システム内の1つまたは複数のプロセッサは、ソフトウェアを実行することができる。ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。ソフトウェアはコンピュータ可読媒体606(図6)上に存在し得る。コンピュータ可読媒体606(図6)は、非一時的コンピュータ可読媒体であってよい。非一時的コンピュータ可読媒体は、例として、磁気記憶デバイス(たとえば、ハードディスク、フロッピー(登録商標)ディスク、磁気ストリップ)、光ディスク(たとえば、コンパクトディスク(CD)、デジタル多目的ディスク(DVD))、スマートカード、フラッシュメモリデバイス(たとえば、カード、スティック、キードライブ)、ランダムアクセスメモリ(RAM)、読取り専用メモリ(ROM)、プログラマブルROM(PROM)、消去可能PROM(EPROM)、電気的消去可能PROM(EEPROM)、レジスタ、取り外し可能ディスク、ならびに、コンピュータがアクセスし読み取ることができるソフトウェアおよび/または命令を記憶するための任意の他の適切な媒体を含む。また、コンピュータ可読媒体は、例として、搬送波、伝送路、ならびに、コンピュータがアクセスし読み取ることができるソフトウェアおよび/または命令を送信するための任意の他の適切な媒体も
含み得る。コンピュータ可読媒体は、処理システムの中に存在してもよく、処理システムの外に存在してもよく、または処理システムを含む複数のエンティティに分散してもよい。コンピュータ可読媒体は、コンピュータプログラム製品として具現化され得る。例として、コンピュータプログラム製品は、パッケージング材料内のコンピュータ可読媒体を含み得る。当業者は、具体的な用途およびシステム全体に課される全体的な設計制約に応じて、本開示全体にわたって示される説明する機能を最善の形で実装する方法を認識するだろう。
【０１１０】
開示した方法におけるステップの特定の順序または階層は例示的なプロセスを示していることを理解されたい。設計上の選好に基づいて、方法におけるステップの特定の順序または階層は再構成可能であることを理解されたい。添付の方法クレームは、サンプル的順序で様々なステップの要素を提示しており、クレーム内で明記していない限り、提示した特定の順序または階層に限定されるように意図されているわけではない。
【０１１１】
上記の説明は、本明細書で説明する様々な態様を当業者が実施できるようにするために与えられる。これらの態様への様々な変更は当業者には容易に明らかであり、本明細書で定義した一般的原理は他の態様に適用され得る。したがって、請求項は本明細書で示す態様に限定されるよう意図されているわけではなく、請求項の文言と整合するすべての範囲を許容するように意図されており、単数の要素への言及は、そのように明記されていない限り、「唯一無二の」ではなく、「1つまたは複数の」を意味するよう意図されている。別段に明記されていない限り、「いくつかの」という用語は「1つまたは複数の」を意味する。項目の列挙「のうちの少なくとも1つ」という語句は、単一の要素を含め、それらの項目の任意の組合せを意味する。たとえば、「a、bまたはcのうちの少なくとも1つ」は、「a」、「b」、「c」、「aおよびb」、「aおよびc」、「bおよびc」、「a、bおよびc」を含むことが意図されている。また、本明細書で開示する内容は、そのような開示が請求項で明記されているか否かにかかわりなく、公に供することは意図されていない。請求項のいかなる要素も、「のための手段」という語句を使用して要素が明記されている場合、または方法クレームで「のためのステップ」という語句を使用して要素が記載されている場合を除き、米国特許法第112条第6項の規定に基づき解釈されることはない。
【符号の説明】
【０１１２】
100  ワイヤレス通信システム
112  ネットワーク
114  UE
116  ワイヤレスサービングノード
123  信号
124  信号
125  ワイヤレスリンク
140  呼処理構成要素
145  圧縮機構成要素
210  データフロー
212  圧縮データフロー
214  未圧縮データフロー
216  データフローの圧縮レベル
218  評価期間
220  圧縮機
222  圧縮アルゴリズム
230  評価構成要素
232  しきい値決定構成要素
234  第1のしきい値
236  第2のしきい値
240  圧縮無効化構成要素
242  無効化期間
244  圧縮有効化構成要素
246  有効化期間
300  グラフ表現
302  グラフ表現
400  方法
580  コンピュータデバイス
582  プロセッサ
584  メモリ
586  通信構成要素
588  データ記憶装置
589  ユーザインターフェース構成要素
600  装置
602  バス
604  プロセッサ
606  コンピュータ可読媒体
608  バスインターフェース
610  トランシーバ
612  ユーザインターフェース
614  処理システム
700  UMTSシステム
702  UMTS Terrestrial Radio Access Network(UTRAN)
704  コアネットワーク(CN)
706  RNC、無線ネットワークコントローラ
707  RNS
708  NodeB、ノードB
710  ユーザ機器(UE)
711  汎用加入者識別モジュール(USIM)
712  MSC
714  GMSC
715  ホームロケーションレジスタ(HLR)
716  回線交換ネットワーク
718  サービングGPRSサポートノード(SGSN)
720  ゲートウェイGPRSサポートノード(GGSN)
722  パケットベースネットワーク
800  アクセスネットワーク
802  セル
804  セル
806  セル
812  アンテナグループ
814  アンテナグループ
816  アンテナグループ
818  アンテナグループ
820  アンテナグループ
822  アンテナグループ
824  アンテナグループ
826  アンテナグループ
828  アンテナグループ
830  UE
832  UE
834  UE
836  UE
838  UE
840  UE
842  NodeB
844  NodeB
846  NodeB
900  無線プロトコルアーキテクチャ
902  ユーザプレーン
904  制御プレーン
906  層1
906  物理層
908  層2(L2層)
910  媒体アクセス制御(MAC)サブレイヤ
910  層3(L3層)
912  無線リンク制御(RLC)サブレイヤ
914  パケットデータコンバージェンスプロトコル(PDCP)サブレイヤ
916  無線リソース制御(RRC)サブレイヤ
1000  通信システム
1010  NodeB
1012  データ源
1020  送信プロセッサ
1030  送信フレームプロセッサ
1032  送信機
1034  アンテナ
1035  受信機
1036  受信フレームプロセッサ
1038  受信プロセッサ
1039  データシンク
1040  コントローラ/プロセッサ
1042  メモリ
1044  チャネルプロセッサ
1046  スケジューラ/プロセッサ
1050  UE
1052  アンテナ
1054  受信機
1056  送信機
1060  受信フレームプロセッサ
1070  受信プロセッサ
1072  データシンク
1078  データ源
1080  送信プロセッサ
1082  送信フレームプロセッサ
1090  コントローラ/プロセッサ
1092  メモリ
1094  チャネルプロセッサ
【図１】
2016506134.tif 000007
【図２】
2016506134.tif 000008
【図３Ａ】
2016506134.tif 000009
【図３Ｂ】
2016506134.tif 000010
【図４】
2016506134.tif 000011
【図５】
2016506134.tif 000012
【図６】
2016506134.tif 000013
【図７】
2016506134.tif 000014
【図８】
2016506134.tif 000015
【図９】
2016506134.tif 000016
【図１０】
2016506134.tif 000017
【手続補正書】
【提出日】平成27年6月19日(2015.6.19)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
圧縮機を介して、圧縮アルゴリズムをデータフローに適用するステップと、
前記圧縮アルゴリズムを適用するステップの結果として生じた前記データフローの圧縮レベルを評価するステップと、
前記データフローの前記圧縮レベルがいつ第1のしきい値を下回ったかを判断するステップと、
前記圧縮レベルが前記第1のしきい値を下回ったときに、第1の無効化期間にわたり前記データフローの圧縮を無効化するステップと、
前記データフローの前記圧縮レベルがいつ第2のしきい値を上回ったかを判断するステップと、
前記圧縮レベルが前記第2のしきい値を上回ったときに前記データフローの圧縮を有効化するステップであって、前記第2のしきい値が前記第1のしきい値よりも大きい、ステップと、
前記第1の無効化期間の後に前記圧縮アルゴリズムを前記データフローに再適用するステップと、
前記圧縮アルゴリズムを前記データフローに再適用するステップの結果として生じた前記データフローの前記圧縮レベルを計算するステップと、
前記データフローの前記計算された圧縮レベルが前記しきい値よりも大きいときに前記データフローの圧縮を有効化するステップと、
前記データフローの前記計算された圧縮レベルが前記しきい値よりも小さいときに、第2の無効化期間にわたり前記データフローの圧縮を無効化するステップであって、前記第2の無効化期間が、前記第1の無効化期間とは異なる継続期間を有する、ステップと
を含む方法。
【請求項２】
前記第2の無効化期間が、前記圧縮アルゴリズムを前記データフローに再適用するステップの結果として生じた前記データフローの前記圧縮レベルの前記計算の再評価が前記第2のしきい値を下回る連続回数の数に基づく継続期間を有する、請求項1に記載の方法。
【請求項３】
前記圧縮レベルが、前記データフロー内の過去のデータパケットのしきい値数の圧縮前の前記データフローのペイロードサイズの合計分の、前記データフロー内の過去のデータパケットの前記しきい値数の圧縮後の前記データフローの前記ペイロードサイズの合計、である比を1から引いたものに等しい、請求項1に記載の方法。
【請求項４】
前記データフロー内の過去のデータパケットの前記しきい値数の値が、圧縮が有効化されるかまたは無効化されるかに依存する、請求項3に記載の方法。
【請求項５】
圧縮が有効化されるとき、過去のデータパケットの前記しきい値数の前記値が第1の値に設定される、請求項4に記載の方法。
【請求項６】
圧縮が無効化されるとき、過去のデータパケットの前記しきい値数の前記値が第2の値に設定される、請求項4に記載の方法。
【請求項７】
前記圧縮レベルが、前記データフロー内の過去のデータパケットのしきい値数分の、前記データフロー内の過去のデータパケットの前記しきい値数についての圧縮前のデータペイロードの合計量から前記データフロー内の過去のデータパケットの前記しきい値数についての圧縮後のデータペイロードの合計量を引いたもの、を含む比に等しい、請求項1に記載の方法。
【請求項８】
前記圧縮レベルが、前記データフロー内の過去のデータパケットのしきい値数分の、前記データフロー内の過去のパケットの前記しきい値数のうちの圧縮されたデータパケットの数、である比に等しい、請求項1に記載の方法。
【請求項９】
前記圧縮されたデータパケットの数が、過去のデータパケットの前記しきい値数のうちの、圧縮後のペイロードサイズが圧縮前のペイロードサイズの一定倍よりも小さい、データパケットの数を含む、請求項8に記載の方法。
【請求項１０】
前記圧縮されたデータパケットの数が、過去のデータパケットの前記しきい値数のうちの、定数を引いた圧縮前のペイロードサイズよりも圧縮後のペイロードサイズが小さい、データパケットの数を含む、請求項8に記載の方法。
【請求項１１】
ワイヤレス通信のための装置であって、
少なくとも1つのプロセッサと、
前記少なくとも1つのプロセッサに結合されたメモリと
を備え、前記少なくとも1つのプロセッサが、
圧縮アルゴリズムをデータフローに適用することと、
前記圧縮アルゴリズムを適用することの結果として生じた前記データフローの圧縮レベルを評価することと、
前記データフローの前記圧縮レベルがいつ第1のしきい値を下回ったかを判断することと、
前記圧縮レベルが前記第1のしきい値を下回ったときに、第1の無効化期間にわたり前記データフローの圧縮を無効化することと、
前記データフローの前記圧縮レベルがいつ第2のしきい値を上回ったかを判断することと、
前記圧縮レベルが前記第2のしきい値を上回ったときに前記データフローの圧縮を有効化することであって、前記第2のしきい値が前記第1のしきい値よりも大きい、有効化することと、
前記第1の無効化期間の後に前記圧縮アルゴリズムを前記データフローに再適用することと、
前記圧縮アルゴリズムを前記データフローに再適用することの結果として生じた前記データフローの前記圧縮レベルを計算することと、
前記データフローの前記計算された圧縮レベルが前記しきい値よりも大きいときに前記データフローの圧縮を有効化することと、
前記データフローの前記計算された圧縮レベルが前記しきい値よりも小さいときに、第2の無効化期間にわたり前記データフローの圧縮を無効化することであって、前記第2の無効化期間が、前記第1の無効化期間とは異なる継続期間を有する、ことと
を行うように構成される、装置。
【請求項１２】
前記第2の無効化期間が、前記圧縮アルゴリズムを前記データフローに再適用することの結果として生じた前記データフローの前記圧縮レベルの前記計算の再評価が前記第2のしきい値を下回る連続回数の数に基づく継続期間を有する、請求項11に記載の装置。
【請求項１３】
前記圧縮レベルが、前記データフロー内の過去のデータパケットのしきい値数の圧縮前の前記データフローのペイロードサイズの合計分の、前記データフロー内の過去のデータパケットの前記しきい値数の圧縮後の前記データフローの前記ペイロードサイズの合計、である比を1から引いたものに等しい、請求項11に記載の装置。
【請求項１４】
前記データフロー内の過去のデータパケットの前記しきい値数の値が、圧縮が有効化されるかまたは無効化されるかに依存する、請求項11に記載の装置。
【請求項１５】
圧縮が有効化されるとき、過去のデータパケットの前記しきい値数の前記値が第1の値に設定される、請求項14に記載の装置。
【請求項１６】
圧縮が無効化されるとき、過去のデータパケットの前記しきい値数の前記値が第2の値に設定される、請求項14に記載の装置。
【請求項１７】
前記圧縮レベルが、前記データフロー内の過去のデータパケットのしきい値数分の、前記データフロー内の過去のデータパケットの前記しきい値数についての圧縮前のデータペイロードの合計量から前記データフロー内の過去のデータパケットの前記しきい値数についての圧縮後のデータペイロードの合計量を引いたもの、を含む比に等しい、請求項11に記載の装置。
【請求項１８】
前記圧縮レベルが、前記データフロー内の過去のデータパケットのしきい値数分の、前記データフロー内の過去のパケットの前記しきい値数のうちの圧縮されたデータパケットの数、である比に等しい、請求項11に記載の装置。
【請求項１９】
前記圧縮されたデータパケットの数が、過去のデータパケットの前記しきい値数のうちの、圧縮後のペイロードサイズが圧縮前のペイロードサイズの一定倍よりも小さい、データパケットの数を含む、請求項18に記載の装置。
【請求項２０】
前記圧縮されたデータパケットの数が、過去のデータパケットの前記しきい値数のうちの、定数を引いた圧縮前のペイロードサイズよりも圧縮後のペイロードサイズが小さい、データパケットの数を含む、請求項18に記載の装置。
【請求項２１】
ワイヤレス通信のための装置であって、
圧縮アルゴリズムをデータフローに適用するための手段と、
前記圧縮アルゴリズムを適用することの結果として生じた前記データフローの圧縮レベルを評価するための手段と、
前記データフローの前記圧縮レベルがいつ第1のしきい値を下回ったかを判断するための手段と、
前記圧縮レベルが前記第1のしきい値を下回ったときに、第1の無効化期間にわたり前記データフローの圧縮を無効化するための手段と、
前記データフローの前記圧縮レベルがいつ第2のしきい値を上回ったかを判断するための手段と、
前記圧縮レベルが前記第2のしきい値を上回ったときに前記データフローの圧縮を有効化するための手段であって、前記第2のしきい値が前記第1のしきい値よりも大きい、手段と、
前記第1の無効化期間の後に前記圧縮アルゴリズムを前記データフローに再適用するための手段と、
前記圧縮アルゴリズムを前記データフローに再適用することの結果として生じた前記データフローの前記圧縮レベルを計算するための手段と、
前記データフローの前記計算された圧縮レベルが前記しきい値よりも大きいときに、前記データフローの圧縮を有効化するための手段と、
前記データフローの前記計算された圧縮レベルが前記しきい値よりも小さいときに、第2の無効化期間にわたり前記データフローの圧縮を無効化するための手段であって、前記第2の無効化期間が、前記第1の無効化期間とは異なる継続期間を有する、手段と
を備える装置。
【請求項２２】
ワイヤレス通信のための装置によって実行可能な非一時的コンピュータ可読媒体であって、
圧縮アルゴリズムをデータフローに適用するためのコードと、
前記圧縮アルゴリズムを適用することの結果として生じた前記データフローの圧縮レベルを評価するためのコードと、
前記データフローの前記圧縮レベルがいつ第1のしきい値を下回ったかを判断するためのコードと、
前記圧縮レベルが前記第1のしきい値を下回ったときに、第1の無効化期間にわたり前記データフローの圧縮を無効化するためのコードと、
前記データフローの前記圧縮レベルがいつ第2のしきい値を上回ったかを判断するためのコードと、
前記圧縮レベルが前記第2のしきい値を上回ったときに前記データフローの圧縮を有効化するためのコードであって、前記第2のしきい値が前記第1のしきい値よりも大きい、コードと、
前記第1の無効化期間の後に前記圧縮アルゴリズムを前記データフローに再適用するためのコードと、
前記圧縮アルゴリズムを前記データフローに再適用することの結果として生じた前記データフローの前記圧縮レベルを計算するためのコードと、
前記データフローの前記計算された圧縮レベルが前記しきい値よりも大きいときに前記データフローの圧縮を有効化するためのコードと、
前記データフローの前記計算された圧縮レベルが前記しきい値よりも小さいときに、第2の無効化期間にわたり前記データフローの圧縮を無効化するためのコードであって、前記第2の無効化期間が、前記第1の無効化期間とは異なる継続期間を有する、コードと
を備える非一時的コンピュータ可読媒体。
【手続補正書】
【提出日】平成27年8月17日(2015.8.17)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
圧縮機を介して、圧縮アルゴリズムをデータフローに適用するステップと、
前記圧縮アルゴリズムを適用するステップの結果として生じた前記データフローの圧縮レベルを評価するステップと、
前記データフローの前記圧縮レベルがいつしきい値を下回ったかを判断するステップと、
前記圧縮レベルが前記しきい値を下回ったときに、第1の無効化期間にわたり前記データフローの圧縮を無効化するステップと、
前記第1の無効化期間の後に前記圧縮アルゴリズムを前記データフローに再適用するステップと、
前記圧縮アルゴリズムを前記データフローに再適用するステップの結果として生じた前記データフローの前記圧縮レベルを計算するステップと、
前記データフローの前記計算された圧縮レベルが前記しきい値よりも大きいときに前記データフローの圧縮を有効化するステップと、
前記データフローの前記計算された圧縮レベルが前記しきい値よりも小さいときに、第2の無効化期間にわたり前記データフローの圧縮を無効化するステップであって、前記第2の無効化期間が、前記第1の無効化期間とは異なる継続期間を有する、ステップと
を含む方法。
【請求項２】
前記第2の無効化期間が、前記圧縮アルゴリズムを前記データフローに再適用するステップの結果として生じた前記データフローの前記圧縮レベルの前記計算が前記しきい値を下回る連続回数の数に基づく継続期間を有する、請求項1に記載の方法。
【請求項３】
前記圧縮レベルが、前記データフロー内の過去のデータパケットのしきい値数の圧縮前の前記データフローのペイロードサイズの合計分の、前記データフロー内の過去のデータパケットの前記しきい値数の圧縮後の前記データフローの前記ペイロードサイズの合計、である比を1から引いたものに等しい、請求項1に記載の方法。
【請求項４】
前記データフロー内の過去のデータパケットの前記しきい値数の値が、圧縮が有効化されるかまたは無効化されるかに依存する、請求項3に記載の方法。
【請求項５】
圧縮が有効化されるとき、過去のデータパケットの前記しきい値数の前記値が第1の値に設定される、請求項4に記載の方法。
【請求項６】
圧縮が無効化されるとき、過去のデータパケットの前記しきい値数の前記値が第2の値に設定される、請求項4に記載の方法。
【請求項７】
前記圧縮レベルが、前記データフロー内の過去のデータパケットのしきい値数分の、前記データフロー内の過去のデータパケットの前記しきい値数についての圧縮前のデータペイロードの合計量から前記データフロー内の過去のデータパケットの前記しきい値数についての圧縮後のデータペイロードの合計量を引いたもの、を含む比に等しい、請求項1に記載の方法。
【請求項８】
前記圧縮レベルが、前記データフロー内の過去のデータパケットのしきい値数分の、前記データフロー内の過去のパケットの前記しきい値数のうちの圧縮されたデータパケットの数、である比に等しい、請求項1に記載の方法。
【請求項９】
前記圧縮されたデータパケットの数が、過去のデータパケットの前記しきい値数のうちの、圧縮後のペイロードサイズが圧縮前のペイロードサイズの一定倍よりも小さい、データパケットの数を含む、請求項8に記載の方法。
【請求項１０】
前記圧縮されたデータパケットの数が、過去のデータパケットの前記しきい値数のうちの、定数を引いた圧縮前のペイロードサイズよりも圧縮後のペイロードサイズが小さい、データパケットの数を含む、請求項8に記載の方法。
【請求項１１】
ワイヤレス通信のための装置であって、
少なくとも1つのプロセッサと、
前記少なくとも1つのプロセッサに結合されたメモリと
を備え、前記少なくとも1つのプロセッサが、
圧縮アルゴリズムをデータフローに適用することと、
前記圧縮アルゴリズムを適用することの結果として生じた前記データフローの圧縮レベルを評価することと、
前記データフローの前記圧縮レベルがいつしきい値を下回ったかを判断することと、
前記圧縮レベルが前記しきい値を下回ったときに、第1の無効化期間にわたり前記データフローの圧縮を無効化することと、
前記第1の無効化期間の後に前記圧縮アルゴリズムを前記データフローに再適用することと、
前記圧縮アルゴリズムを前記データフローに再適用することの結果として生じた前記データフローの前記圧縮レベルを計算することと、
前記データフローの前記計算された圧縮レベルが前記しきい値よりも大きいときに前記データフローの圧縮を有効化することと、
前記データフローの前記計算された圧縮レベルが前記しきい値よりも小さいときに、第2の無効化期間にわたり前記データフローの圧縮を無効化することであって、前記第2の無効化期間が、前記第1の無効化期間とは異なる継続期間を有する、ことと
を行うように構成される、装置。
【請求項１２】
前記第2の無効化期間が、前記圧縮アルゴリズムを前記データフローに再適用することの結果として生じた前記データフローの前記圧縮レベルの前記計算が前記しきい値を下回る連続回数の数に基づく継続期間を有する、請求項11に記載の装置。
【請求項１３】
前記圧縮レベルが、前記データフロー内の過去のデータパケットのしきい値数の圧縮前の前記データフローのペイロードサイズの合計分の、前記データフロー内の過去のデータパケットの前記しきい値数の圧縮後の前記データフローの前記ペイロードサイズの合計、である比を1から引いたものに等しい、請求項11に記載の装置。
【請求項１４】
前記データフロー内の過去のデータパケットの前記しきい値数の値が、圧縮が有効化されるかまたは無効化されるかに依存する、請求項11に記載の装置。
【請求項１５】
圧縮が有効化されるとき、過去のデータパケットの前記しきい値数の前記値が第1の値に設定される、請求項14に記載の装置。
【請求項１６】
圧縮が無効化されるとき、過去のデータパケットの前記しきい値数の前記値が第2の値に設定される、請求項14に記載の装置。
【請求項１７】
前記圧縮レベルが、前記データフロー内の過去のデータパケットのしきい値数分の、前記データフロー内の過去のデータパケットの前記しきい値数についての圧縮前のデータペイロードの合計量から前記データフロー内の過去のデータパケットの前記しきい値数についての圧縮後のデータペイロードの合計量を引いたもの、を含む比に等しい、請求項11に記載の装置。
【請求項１８】
前記圧縮レベルが、前記データフロー内の過去のデータパケットのしきい値数分の、前記データフロー内の過去のパケットの前記しきい値数のうちの圧縮されたデータパケットの数、である比に等しい、請求項11に記載の装置。
【請求項１９】
前記圧縮されたデータパケットの数が、過去のデータパケットの前記しきい値数のうちの、圧縮後のペイロードサイズが圧縮前のペイロードサイズの一定倍よりも小さい、データパケットの数を含む、請求項18に記載の装置。
【請求項２０】
前記圧縮されたデータパケットの数が、過去のデータパケットの前記しきい値数のうちの、定数を引いた圧縮前のペイロードサイズよりも圧縮後のペイロードサイズが小さい、データパケットの数を含む、請求項18に記載の装置。
【請求項２１】
ワイヤレス通信のための装置であって、
圧縮アルゴリズムをデータフローに適用するための手段と、
前記圧縮アルゴリズムを適用することの結果として生じた前記データフローの圧縮レベルを評価するための手段と、
前記データフローの前記圧縮レベルがいつしきい値を下回ったかを判断するための手段と、
前記圧縮レベルが前記しきい値を下回ったときに、第1の無効化期間にわたり前記データフローの圧縮を無効化するための手段と、
前記第1の無効化期間の後に前記圧縮アルゴリズムを前記データフローに再適用するための手段と、
前記圧縮アルゴリズムを前記データフローに再適用することの結果として生じた前記データフローの前記圧縮レベルを計算するための手段と、
前記データフローの前記計算された圧縮レベルが前記しきい値よりも大きいときに、前記データフローの圧縮を有効化するための手段と、
前記データフローの前記計算された圧縮レベルが前記しきい値よりも小さいときに、第2の無効化期間にわたり前記データフローの圧縮を無効化するための手段であって、前記第2の無効化期間が、前記第1の無効化期間とは異なる継続期間を有する、手段と
を備える装置。
【請求項２２】
ワイヤレス通信のための装置によって実行可能な非一時的コンピュータ可読媒体であって、
圧縮アルゴリズムをデータフローに適用するためのコードと、
前記圧縮アルゴリズムを適用することの結果として生じた前記データフローの圧縮レベルを評価するためのコードと、
前記データフローの前記圧縮レベルがいつしきい値を下回ったかを判断するためのコードと、
前記圧縮レベルが前記しきい値を下回ったときに、第1の無効化期間にわたり前記データフローの圧縮を無効化するためのコードと、
前記第1の無効化期間の後に前記圧縮アルゴリズムを前記データフローに再適用するためのコードと、
前記圧縮アルゴリズムを前記データフローに再適用することの結果として生じた前記データフローの前記圧縮レベルを計算するためのコードと、
前記データフローの前記計算された圧縮レベルが前記しきい値よりも大きいときに前記データフローの圧縮を有効化するためのコードと、
前記データフローの前記計算された圧縮レベルが前記しきい値よりも小さいときに、第2の無効化期間にわたり前記データフローの圧縮を無効化するためのコードであって、前記第2の無効化期間が、前記第1の無効化期間とは異なる継続期間を有する、コードと
を備える非一時的コンピュータ可読媒体。
【国際調査報告】
2016506134.tif 000018
2016506134.tif 000019